(57)【要約】  対応情報記憶部（３３０）は、インターネット（１０１）と接続されたオペレータ網（１０３）においてＵＥ（１０５）に対して割り当てられた第１アドレスと、フェムトセルにおいてＵＥ（１０５）に対して割り当てられた第２アドレスと、を対応付けた対応情報を記憶する。ＬＡＮインタフェース（３１０）は、第２アドレスを宛先とするパケットをインターネット（１０１）から受信する。アドレス変換部（１２１）は、ＬＡＮインタフェース（３１０）によって受信されたパケットの宛先を、対応情報記憶部（３３０）によって記憶された対応情報に基づいて第２アドレスから第１アドレスに変換する。転送制御部（３２０）は、ＵＥ（１０５）がオペレータ網（１０３）に含まれる他のフェムト基地局（１２０）へハンドオーバした場合に、アドレス変換部（１２１）によって宛先が変換されたパケットをオペレータ網（１０３）へ転送する。
2010106653.tif 000002
【特許請求の範囲】
【請求項１】
周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第２アドレスを宛先とするパケットを前記広域通信網から受信する受信手段と、
前記受信手段によって受信されたパケットの宛先を、前記記憶手段によって記憶された対応情報に基づいて前記第２アドレスから前記第１アドレスに変換する変換手段と、
前記移動端末が前記移動通信網に含まれる他の基地局へハンドオーバした場合に、前記変換手段によって宛先が変換されたパケットを前記移動通信網へ転送する転送手段と、
を備えることを特徴とする基地局。
【請求項２】
前記移動端末が前記無線エリアに在圏の場合に、前記変換手段によって宛先が変換されたパケットを前記移動端末へ無線送信する無線送信手段を備えることを特徴とする請求項１に記載の基地局。
【請求項３】
前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する第２変換手段と、
前記第２変換手段によって送信元が変換されたパケットを前記広域通信網へ送信する送信手段と、
を備えることを特徴とする請求項１に記載の基地局。
【請求項４】
前記記憶手段は、前記移動端末が前記無線エリアにアタッチするときに前記移動通信網から通知される前記第１アドレスを記憶することを特徴とする請求項１に記載の基地局。
【請求項５】
前記移動端末が前記他の基地局へハンドオーバするときに前記第２アドレスを前記移動通信網へ通知する通知手段を備えることを特徴とする請求項１に記載の基地局。
【請求項６】
前記受信手段は、受信したパケットをメモリに記憶し、
前記変換手段は、前記受信手段によってメモリに記憶されたパケットを読み出し、読み出したパケットの宛先を変換し、宛先を変換したパケットをメモリに記憶する演算手段であり、
前記転送手段は、前記変換手段によってメモリに記憶されたパケットを読み出し、読み出したパケットを転送することを特徴とする請求項１に記載の基地局。
【請求項７】
周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する変換手段と、
前記変換手段によって送信元が変換されたパケットを前記広域通信網へ送信する送信手段と、
を備えることを特徴とする基地局。
【請求項８】
前記無線受信手段は、無線受信したパケットをメモリに記憶し、
前記変換手段は、前記無線受信手段によってメモリに記憶されたパケットを読み出し、
読み出したパケットの宛先を変換し、宛先を変換したパケットをメモリに記憶する演算手段であり、
前記送信手段は、前記変換手段によってメモリに記憶されたパケットを読み出し、読み出したパケットを送信することを特徴とする請求項７に記載の基地局。
【請求項９】
広域通信網に接続された無線エリアから移動通信網の基地局へハンドオーバした移動端末と前記広域通信網との通信を中継する、前記移動通信網に含まれる通信装置において、
前記移動通信網において前記移動端末に対して割り当てられた第１アドレスと、前記無線エリアにおいて前記移動端末に対して割り当てられた第２アドレスと、を対応付けた対応情報を記憶する記憶手段と、
前記移動端末から前記基地局へ無線送信され、前記第１アドレスを送信元とするパケットを前記基地局から受信する受信手段と、
前記受信手段によって受信されたパケットの送信元を、前記記憶手段によって記憶された対応情報に基づいて前記第１アドレスから前記第２アドレスに変換する変換手段と、
前記変換手段によって送信元が変換されたパケットを前記広域通信網へ送信する送信手段と、
を備えることを特徴とする通信装置。
【請求項１０】
周囲の無線エリアの移動端末と広域通信網との間の通信を中継する中継方法において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶工程と、
前記第２アドレスを宛先とするパケットを前記広域通信網から受信する受信工程と、
前記受信工程によって受信されたパケットの宛先を、前記記憶工程によって記憶された対応情報に基づいて前記第２アドレスから前記第１アドレスに変換する変換工程と、
前記移動端末が前記移動通信網に含まれる他の基地局へハンドオーバした場合に、前記変換工程によって宛先が変換されたパケットを前記移動通信網へ転送する転送工程と、
を含むことを特徴とする中継方法。
【請求項１１】
周囲の無線エリアの移動端末と広域通信網との間の通信を中継する中継方法において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶工程と、
前記第１アドレスを送信元とするパケットを前記移動端末から無線受信する無線受信工程と、
前記無線受信工程によって無線受信されたパケットの送信元を、前記記憶工程によって記憶された対応情報に基づいて前記第１アドレスから前記第２アドレスに変換する変換工程と、
前記変換工程によって送信元が変換されたパケットを前記広域通信網へ送信する送信工程と、
を含むことを特徴とする中継方法。
【請求項１２】
広域通信網に接続された無線エリアから移動通信網の基地局へハンドオーバした移動端末と前記広域通信網との通信を中継する前記移動通信網の通信方法において、
前記移動通信網において前記移動端末に対して割り当てられた第１アドレスと、前記無線エリアにおいて前記移動端末に対して割り当てられた第２アドレスと、を対応付けた対応情報を記憶する記憶工程と、
前記第１アドレスを送信元とするパケットを前記移動端末から無線受信する無線受信工程と、
前記無線受信工程によって無線受信されたパケットの送信元を、前記記憶工程によって記憶された対応情報に基づいて前記第１アドレスから前記第２アドレスに変換する変換工程と、
前記変換工程によって送信元が変換されたパケットを前記広域通信網へ送信する送信工程と、
を含むことを特徴とする通信方法。
【発明の詳細な説明】
【技術分野】
【０００１】
この発明は、移動端末のハンドオーバを行う基地局、通信装置、中継方法および通信方法に関する。
【背景技術】
【０００２】
近年、屋内に設置し、周囲の移動端末と無線通信を行うフェムト基地局が検討されている。フェムト基地局は、たとえば、移動端末と移動通信網との間の通信を中継する。フェムト基地局は、３ＧＰＰ（３ｒｄ  Ｇｅｎｅｒａｔｉｏｎ  Ｐａｒｔｎｅｒｓｈｉｐ  Ｐｒｏｊｅｃｔ）においても標準化作業が行われており、３ＧＰＰにおいてはＨｏｍｅ  ＮｏｄｅＢあるいはＨｏｍｅ  ｅＮｏｄｅＢと呼ばれている。【０００３】
従来のモバイルネットワークにおいては、ＳＡＥ／ＬＴＥ（Ｓｅｒｖｉｃｅ  Ａｒｃｈｉｔｅｃｔｕｒｅ  Ｅｖｏｌｕｔｉｏｎ／Ｌｏｎｇ  Ｔｅｒｍ  Ｅｖｏｌｕｔｉｏｎ）におけるＰＤＮ−ＧＷ（Ｐａｃｋｅｔ  Ｄａｔａ  Ｎｅｔｗｏｒｋ  ＧａｔｅＷａｙ）をＩＰ網におけるＵＥ（Ｕｓｅｒ  Ｅｑｕｉｐｍｅｎｔ：移動端末）のアンカーポイントとして、ＧＴＰ（ＧＰＲＳ  Ｔｕｎｎｅｌｌｉｎｇ  Ｐｒｏｔｏｃｏｌ）などのトンネルによってＵＥまでパケットをルーティングしている。また、３ＧＰＰにおいてはＧＧＳＮ（Ｇａｔｅｗａｙ  ＧＰＲＳ  Ｓｕｐｐｏｒｔ  Ｎｏｄｅ）をアンカーポイントとする。【０００４】
ＳＡＥ／ＬＴＥにおいては、インターネットからＵＥにユーザデータを送る場合の経路は、ＰＤＮ−ＧＷ、Ｓ−ＧＷ（Ｓｅｒｖｉｎｇ−ＧａｔｅＷａｙ）、ｅＮｏｄｅＢ、ＵＥの順である。逆に、ＵＥからインターネットにパケットを送る場合の経路は、ＵＥ、ｅＮｏｄｅＢ、Ｓ−ＧＷ、ＰＤＮ−ＧＷの順である。【０００５】
フェムト基地局は、屋内のＬＡＮ（Ｌｏｃａｌ  Ａｒｅａ  Ｎｅｔｗｏｒｋ：構内通信網）からＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）やＦＴＴＨ（Ｆｉｂｅｒ  Ｔｏ  Ｔｈｅ  Ｈｏｍｅ）などのアクセス回線を利用してオペレータコア網の装置に接続される。【０００６】
現在の３ＧＰＰにおける標準化によれば、フェムト基地局はＩＰｓｅｃトンネルを使用してオペレータ網に接続され、Ｓ−ＧＷとはマクロ基地局と同様にＳ１インタフェースで接続される。フェムト基地局はＡＤＳＬやＦＴＴＨなどを経由してオペレータ網に接続しているため、ＵＥのフェムトセル在圏時に、オペレータ網のノードを介さずにＵＥが直接インターネットにパケットを送受信すればオペレータ網のノードの負担が軽くなる。【０００７】
このような機能を持ったフェムト基地局の構成がすでに提案されている。たとえば、従来、ＰＤＮ−ＧＷが持っていたインターネットへのゲートウェイ装置としての機能をフェムト基地局に持たせる。このような構成においては、フェムト基地局からオペレータ網の基地局へ移動端末がハンドオーバした場合に移動端末のＩＰアドレスが変わるため、移動端末とインターネットとの間の通信が切断される。【０００８】
インターネットへの接続ポイントが変わるハンドオーバの前後で通信を継続させる技術としては、たとえばＭＩＰ（Ｍｏｂｉｌｅ  ＩＰ）がある（たとえば、下記特許文献１参照。）。ＭＩＰにおいては、ホームエージェントと呼ばれるノードをアンカーとして使用し、ホームエージェントへ送られてきたパケットにパケット転送用のヘッダを付けてカプセリングを行い、ハンドオーバ先へパケットを転送することによって通信を継続させる。【０００９】
【特許文献１】特表２００５−５３０４５６号公報
【発明の開示】
【発明が解決しようとする課題】
【００１０】
しかしながら、上述した従来技術では、パケット転送時にパケットがカプセル化されるため、オーバーヘッドが生じて情報量が増加するという問題がある。特に、ＶｏＩＰ（Ｖｏｉｃｅ  ｏｖｅｒ  ＩＰ）におけるＲＴＰ（Ｒｅａｌ−ｔｉｍｅ  Ｔｒａｎｓｐｏｒｔ  Ｐｒｏｔｏｃｏｌ）パケットのようにペイロードが小さいパケットの場合は、各パケットに転送用のヘッダを追加すると情報量が大幅に増大する。このため、パケットを転送する通信区間における帯域の利用効率が低下するという問題がある。【００１１】
開示の基地局、通信装置、中継方法および通信方法は、上述した問題点を解消するものであり、転送パケットの情報量を削減することを目的とする。
【課題を解決するための手段】
【００１２】
上述した課題を解決し、目的を達成するため、この基地局は、周囲の無線エリアの移動端末と広域通信網との間の通信を中継する基地局において、前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、前記第２アドレスを宛先とするパケットを前記広域通信網から受信する受信手段と、前記受信手段によって受信されたパケットの宛先を、前記記憶手段によって記憶された対応情報に基づいて前記第２アドレスから前記第１アドレスに変換する変換手段と、前記移動端末が前記移動通信網に含まれる他の基地局へハンドオーバした場合に、前記変換手段によって宛先が変換されたパケットを前記移動通信網へ転送する転送手段と、を備える。【００１３】
上記構成によれば、広域通信網は、移動端末と通信を行う場合に、移動端末のアドレスとして第２アドレスを用いることで、移動端末がハンドオーバしても通信を継続することができる。また、移動端末は、移動端末のアドレスとして第１アドレスを用いることで、他の基地局へハンドオーバしても通信を継続することができる。また、パケットをアドレス変換により転送することによって、転送パケットの情報量を削減することができる。
【発明の効果】
【００１４】
開示の基地局、通信装置、中継方法および通信方法によれば、転送パケットの情報量を削減することができる。
【図面の簡単な説明】
【００１５】
【図１】図１は、実施の形態にかかる通信システムを示すブロック図（その１）である。
【図２】図２は、実施の形態にかかる通信システムを示すブロック図（その２）である。
【図３】図３は、フェムト基地局の具体的な構成例を示すブロック図である。
【図４】図４は、フェムト基地局が記憶する対応情報の一例を示す図である。
【図５】図５は、フェムト基地局が記憶する在圏情報の一例を示す図である。
【図６】図６は、ＤＬパケット受信時におけるフェムト基地局の動作の一例を示すフローチャートである。
【図７】図７は、ＵＬパケット受信時におけるフェムト基地局の動作の一例を示すフローチャートである。
【図８】図８は、オペレータ網の具体的な構成例を示すブロック図である。
【図９】図９は、通信装置が記憶する対応情報の一例を示す図である。
【図１０】図１０は、通信装置が記憶するセッション情報の一例を示す図である。
【図１１】図１１は、ＤＬパケット受信時におけるオペレータ網の動作の一例を示すフローチャートである。
【図１２】図１２は、ＵＬパケット受信時におけるオペレータ網の動作の一例を示すフローチャートである。
【図１３】図１３は、通信システムのアタッチシーケンスの一例を示すシーケンス図である。
【図１４】図１４は、通信システムのハンドオーバシーケンスの一例を示すシーケンス図である。
【符号の説明】
【００１６】
１００  通信システム
１０１  インターネット
１０２  ＬＡＮ
１０３  オペレータ網
１０５  ＵＥ
１１０  ウェブサーバ
１２０  フェムト基地局
１２１  アドレス変換部
１２２  ゲートウェイ機能部
１２３  ｅＮｏｄｅＢ機能部
１３１  アドレス変換装置
１３２  ゲートウェイ装置
１３３  マクロ基地局
３１０  ＬＡＮインタフェース
３２０  転送制御部
３３０，８１２  対応情報記憶部
３４０  在圏情報記憶部
４００，５００，９００，１０００  テーブル
８１０  通信装置
８１１  通信インタフェース
８１３  セッション情報記憶部
８２０  位置管理装置
【発明を実施するための最良の形態】
【００１７】
以下に添付図面を参照して、この基地局、通信装置、中継方法および通信方法の好適な実施の形態を詳細に説明する。この基地局、通信装置、中継方法および通信方法は、フェムトセルから移動通信網へハンドオーバした移動端末が送受信するパケットをアドレス変換により転送することで、パケットの情報量を削減する。【００１８】
（実施の形態）
（ハンドオーバ前における通信システムの構成）
図１は、実施の形態にかかる通信システムを示すブロック図（その１）である。図１に示すように、実施の形態にかかる通信システム１００は、インターネット１０１と、ＬＡＮ１０２と、オペレータ網１０３と、を含んでいる。インターネット１０１は、ウェブサーバ１１０を含む広域通信網である。なお、広域通信網としては、インターネット１０１に代えて他のネットワークを用いてもよい。【００１９】
ＬＡＮ１０２は、インターネット１０１に接続された構内通信網である。ＬＡＮ１０２は、フェムト基地局１２０を含んでいる。オペレータ網１０３は、インターネット１０１に接続された移動通信網である。オペレータ網１０３は、アドレス変換装置１３１と、ゲートウェイ装置１３２と、マクロ基地局１３３と、を含んでいる。【００２０】
ＬＡＮ１０２のフェムト基地局１２０は、アドレス変換部１２１と、ゲートウェイ機能部１２２と、ｅＮｏｄｅＢ機能部１２３と、を備えている。フェムト基地局１２０は、周囲に形成したフェムトセルの移動端末とインターネット１０１との間の通信を中継する。たとえば、フェムト基地局１２０は、ＬＡＮ１０２が構築された屋内に位置するＵＥ１０５と無線通信を行い、ＵＥ１０５とインターネット１０１との間の通信を中継する。【００２１】
なお、周囲の無線エリアの移動端末と広域通信網との間の通信を中継する基地局としては、フェムト基地局１２０に代えて他の形式の基地局を用いてもよい。ＵＥ１０５は、オペレータ網１０３において割り当てられた第１アドレスと、フェムト基地局１２０のフェムトセル（またはＬＡＮ１０２）において割り当てられた第２アドレスと、を有する。【００２２】
（フェムト基地局のダウンリンクに関する処理）
つぎに、ウェブサーバ１１０からＵＥ１０５へ送信されるＤＬ（Ｄｏｗｎ  Ｌｉｎｋ）パケットに関するフェムト基地局１２０の処理について説明する。アドレス変換部１２１には、ウェブサーバ１１０から送信されたＤＬパケットが入力される。【００２３】
ウェブサーバ１１０から送信されるＤＬの宛先（たとえばヘッダのＤＳＴフィールド）は、ＵＥ１０５に割り当てられた第２アドレスである。アドレス変換部１２１は、入力されたパケットの宛先を第２アドレスから第１アドレスへ変換し、宛先を変換したＤＬパケットをゲートウェイ機能部１２２へ出力する。【００２４】
ゲートウェイ機能部１２２は、フェムト基地局１２０とインターネット１０１との間の通信（たとえばＩＰ通信）を、フェムト基地局１２０とＵＥ１０５との間の通信（たとえば３ＧＰＰ規格通信）のプロトコルにカプセリングする。具体的には、ゲートウェイ機能部１２２は、アドレス変換部１２１から出力されたＤＬパケットを３ＧＰＰのプロトコルのペイロードへ格納し、格納したＤＬパケットをｅＮｏｄｅＢ機能部１２３へ出力する。【００２５】
ｅＮｏｄｅＢ機能部１２３は、たとえば３ＧＰＰにおけるＨｏｍｅ  ｅＮｏｄｅＢに相当する機能部である。ｅＮｏｄｅＢ機能部１２３は、ゲートウェイ機能部１２２から出力されたＤＬパケットをＵＥ１０５へ無線送信する。ｅＮｏｄｅＢ機能部１２３から無線送信されたＤＬパケットはＵＥ１０５によって無線受信される。【００２６】
以上の構成により、インターネット１０１のウェブサーバ１１０は、ＵＥ１０５の第２アドレスを宛先としたＤＬパケットをフェムト基地局１２０へ送信することで、ＤＬパケットをＵＥ１０５に受信させることができる。また、ＵＥ１０５は、ウェブサーバ１１０から送信されたＤＬパケットを、第１アドレスを宛先として受信することができる。【００２７】
（フェムト基地局のアップリンクに関する処理）
つぎに、ＵＥ１０５からウェブサーバ１１０へ送信されるＵＬ（Ｕｐ  Ｌｉｎｋ）パケットに関するフェムト基地局１２０の処理について説明する。ｅＮｏｄｅＢ機能部１２３は、ウェブサーバ１１０を宛先とするＵＬパケットをＵＥ１０５から無線受信し、無線受信したＵＬパケットをゲートウェイ機能部１２２へ出力する。【００２８】
ＵＥ１０５から無線送信され、ｅＮｏｄｅＢ機能部１２３によって無線受信されるＵＬパケットの送信元（たとえばヘッダのＳＲＣフィールド）は、ＵＥ１０５の第１アドレスである。ゲートウェイ機能部１２２は、ｅＮｏｄｅＢ機能部１２３から出力されたＵＬパケットのデカプセリングを行ってアドレス変換部１２１へ出力する。【００２９】
アドレス変換部１２１は、ゲートウェイ機能部１２２から出力されたＵＬパケットの送信元を第１アドレスから第２アドレスへ変換する。アドレス変換部１２１は、送信元を変換したＵＬパケットを出力する。アドレス変換部１２１から出力されたＵＬパケットは、インターネット１０１のウェブサーバ１１０へ送信される。【００３０】
以上の構成により、ウェブサーバ１１０は、ＵＥ１０５から送信されたＵＬパケットを、送信元アドレスを第２アドレスとして受信することができる。また、ＵＥ１０５は、第１アドレスを送信元とするＵＬパケットをフェムト基地局１２０へ送信することで、第２アドレスを送信元とするＵＬパケットをウェブサーバ１１０に受信させることができる。【００３１】
したがって、ウェブサーバ１１０は、ＵＥ１０５の第１アドレスをＵＥ１０５のアドレスとして認識することで、ＵＥ１０５へのＤＬパケットの送信と、ＵＥ１０５からのＵＬパケットの受信と、を行うことができる。一方、ＵＥ１０５は、ＵＥ１０５の第２アドレスをＵＥ１０５のアドレスとして認識することで、ウェブサーバ１１０からのＤＬパケットの受信と、ウェブサーバ１１０へのＵＬパケットの送信と、を行うことができる。【００３２】
（ハンドオーバ後における通信システムの構成）
図２は、実施の形態にかかる通信システムを示すブロック図（その２）である。図２において、図１に示した構成と同様の構成については同一の符号を付して説明を省略する。図２は、図１に示した通信システム１００において、たとえばＵＥ１０５が屋外に出るなどして、フェムト基地局１２０のフェムトセルからオペレータ網１０３に含まれるマクロ基地局１３３へＵＥ１０５がハンドオーバした状態を示している。【００３３】
（オペレータ網のダウンリンクに関する処理）
つぎに、ウェブサーバ１１０からＵＥ１０５へ送信されるＤＬパケットに関するオペレータ網１０３の処理について説明する。ＵＥ１０５がマクロ基地局１３３へハンドオーバした場合は、アドレス変換部１２１によって宛先が第１アドレスへ変換されたＤＬパケットはインターネット１０１へ転送される。【００３４】
第１アドレスはオペレータ網１０３において割り当てられたアドレスであるため、インターネット１０１へ転送されたＤＬパケットは、インターネット１０１上の経路交換機によってオペレータ網１０３へ転送される。【００３５】
ゲートウェイ装置１３２には、インターネット１０１から転送されたＤＬパケットが入力される。ゲートウェイ装置１３２は、オペレータ網１０３とインターネット１０１との間の通信（たとえばＩＰ通信）と、オペレータ網１０３とＵＥ１０５との間の通信（たとえば３ＧＰＰ規格通信）と、のカプセリング／デカプセリングを行う。具体的には、ゲートウェイ機能部１２２は、入力されたＤＬパケットのカプセリングを行い、カプセリングを行ったＤＬパケットをマクロ基地局１３３へ送信する。【００３６】
マクロ基地局１３３は、ゲートウェイ装置１３２から送信されたＤＬパケットをＵＥ１０５へ無線送信する。マクロ基地局１３３から無線送信されたＤＬパケットはＵＥ１０５によって無線受信される。【００３７】
以上の構成により、ウェブサーバ１１０は、ＵＥ１０５がマクロ基地局１３３へハンドオーバした後も、ＵＥ１０５の第２アドレスを宛先としたＤＬパケットをフェムト基地局１２０へ送信することで、ＤＬパケットをＵＥ１０５に受信させることができる。また、ＵＥ１０５は、マクロ基地局１３３へハンドオーバした後も、ＵＥ１０５の第１アドレスを宛先としたＤＬパケットを受信することができる。【００３８】
（オペレータ網のアップリンクに関する処理）
つぎに、ＵＥ１０５からウェブサーバ１１０へ送信されるＵＬパケットに関するオペレータ網１０３の処理について説明する。マクロ基地局１３３は、ウェブサーバ１１０を宛先とするＵＬパケットをＵＥ１０５から無線受信する。【００３９】
ＵＥ１０５から無線送信され、マクロ基地局１３３によって無線受信されるＵＬパケットの送信元は、ＵＥ１０５の第１アドレスである。マクロ基地局１３３は、無線受信したＵＬパケットをゲートウェイ装置１３２へ送信する。ゲートウェイ機能部１２２は、マクロ基地局１３３から送信されたＵＬパケットのデカプセリングを行い、デカプセリングを行ったＵＬパケットをアドレス変換装置１３１へ送信する。【００４０】
アドレス変換装置１３１は、ゲートウェイ装置１３２から送信されたＵＬパケットの送信元を第１アドレスから第２アドレスへ変換する。アドレス変換装置１３１は、送信元を変換したＵＬパケットをインターネット１０１のウェブサーバ１１０へ送信する。【００４１】
以上の構成により、インターネット１０１のウェブサーバ１１０は、ＵＥ１０５がマクロ基地局１３３へハンドオーバした後も、ＵＥ１０５の第２アドレスを宛先としたＵＬパケットを受信することができる。また、ＵＥ１０５は、第１アドレスを送信元とするＵＬパケットをマクロ基地局１３３へ送信することで、第２アドレスを送信元とするＵＬパケットをウェブサーバ１１０に受信させることができる。【００４２】
したがって、ウェブサーバ１１０は、ＵＥ１０５の第１アドレスをＵＥ１０５のアドレスとして認識することで、ＵＥ１０５へのＤＬパケットの送信と、ＵＥ１０５からのＵＬパケットの受信と、を行うことができる。一方、ＵＥ１０５は、ＵＥ１０５の第２アドレスをＵＥ１０５のアドレスとして認識することで、ウェブサーバ１１０からのＤＬパケットの受信と、ウェブサーバ１１０へのＵＬパケットの送信と、を行うことができる。【００４３】
図１，２に示したように、ウェブサーバ１１０は、ＵＥ１０５がフェムト基地局１２０のフェムトセルに在圏の場合と、ＵＥ１０５がマクロ基地局１３３へハンドオーバした場合と、のいずれにおいても第２アドレスを用いてＵＥ１０５と通信を行うことができる。【００４４】
一方、ＵＥ１０５は、フェムト基地局１２０のフェムトセルに在圏の場合と、マクロ基地局１３３へハンドオーバした場合と、のいずれにおいても第１アドレスを用いてウェブサーバ１１０と通信を行うことができる。このため、ＵＥ１０５がフェムト基地局１２０からマクロ基地局１３３へハンドオーバしても、ＵＥ１０５とウェブサーバ１１０との間の通信を継続することができる。【００４５】
（フェムト基地局の具体的な構成）
図３は、フェムト基地局の具体的な構成例を示すブロック図である。図３において、図１に示した構成と同様の構成については同一の符号を付して説明を省略する。図３に示すように、フェムト基地局１２０は、アドレス変換部１２１と、ゲートウェイ機能部１２２と、ｅＮｏｄｅＢ機能部１２３と、ＬＡＮインタフェース３１０と、転送制御部３２０と、対応情報記憶部３３０と、在圏情報記憶部３４０と、を備えている。【００４６】
ＬＡＮインタフェース３１０は、ＬＡＮ１０２との通信インタフェースである。具体的には、ＬＡＮインタフェース３１０は、ウェブサーバ１１０からＬＡＮ１０２を介して送信されたＤＬパケットを受信する。ＬＡＮインタフェース３１０は、受信したＤＬパケットをアドレス変換部１２１へ出力する。【００４７】
また、ＬＡＮインタフェース３１０は、アドレス変換部１２１から出力されたＵＬパケットを、ＬＡＮ１０２を介してウェブサーバ１１０へ送信する。また、ＬＡＮインタフェース３１０は、転送制御部３２０から出力されたＤＬパケットを、ＬＡＮ１０２を介してインターネット１０１へ転送する。【００４８】
対応情報記憶部３３０は、オペレータ網１０３においてＵＥ１０５に対して割り当てられた第１アドレスと、フェムト基地局１２０においてＵＥ１０５に対して割り当てられた第２アドレスと、を対応付けた対応情報を記憶する。在圏情報記憶部３４０は、ＵＥ１０５が、フェムト基地局１２０のフェムトセルに在圏か、あるいはＵＥ１０５がマクロ基地局１３３へハンドオーバしたかを示す在圏情報を記憶する。【００４９】
アドレス変換部１２１は、対応情報記憶部３３０から対応情報を読み出す。そして、アドレス変換部１２１は、ＬＡＮインタフェース３１０から出力されたＤＬパケットの宛先を、読み出した対応情報に基づいて第２アドレスから第１アドレスへ変換する。そして、アドレス変換部１２１は、宛先を変換したＤＬパケットを転送制御部３２０へ出力する。【００５０】
また、アドレス変換部１２１は、ゲートウェイ機能部１２２から出力されたＵＬパケットの宛先を、対応情報記憶部３３０から読み出した対応情報に基づいて第１アドレスから第２アドレスへ変換する。そして、アドレス変換部１２１は、宛先を変換したＵＬパケットをＬＡＮインタフェース３１０へ出力する。【００５１】
転送制御部３２０は、在圏情報記憶部３４０から在圏情報を読み出し、読み出した在圏情報に基づいて、ＵＥ１０５がフェムト基地局１２０のフェムトセルに在圏か、あるいはＵＥ１０５がマクロ基地局１３３へハンドオーバしたかを判断する。【００５２】
転送制御部３２０は、ＵＥ１０５がフェムト基地局１２０のフェムトセルに在圏と判断した場合は、アドレス変換部１２１から出力されたＤＬパケットをゲートウェイ機能部１２２へ出力する。これにより、ＤＬパケットが、ゲートウェイ機能部１２２およびｅＮｏｄｅＢ機能部１２３を介してＵＥ１０５へ送信される。【００５３】
また、転送制御部３２０は、ＵＥ１０５がオペレータ網１０３のマクロ基地局１３３へハンドオーバしたと判断した場合に、アドレス変換部１２１から出力されたＤＬパケットをＬＡＮインタフェース３１０へ出力する。これにより、ＤＬパケットが、インターネット１０１を介してオペレータ網１０３へ転送される。【００５４】
ゲートウェイ機能部１２２は、転送制御部３２０から出力されたＤＬパケットをカプセリングし、カプセリングしたＤＬパケットをｅＮｏｄｅＢ機能部１２３へ出力する。また、ゲートウェイ機能部１２２は、ｅＮｏｄｅＢ機能部１２３から出力されたＤＬパケットをデカプセリングしてアドレス変換部１２１へ出力する。【００５５】
ｅＮｏｄｅＢ機能部１２３は、上述したＤＬパケットの無線送信およびＵＬパケットの無線受信を行うとともに、フェムト基地局１２０のフェムトセルにおけるＵＥ１０５の在圏状態を監視する。ｅＮｏｄｅＢ機能部１２３は、ＵＥ１０５の在圏状態の監視結果を在圏情報記憶部３４０に記憶させる。また、ｅＮｏｄｅＢ機能部１２３は、ＵＥ１０５がマクロ基地局１３３へハンドオーバする場合に、ＵＥ１０５へ割り当てた第２アドレスを、ＬＡＮインタフェース３１０を介してオペレータ網１０３へ通知する。【００５６】
上記の構成において、ＬＡＮインタフェース３１０（受信手段）は、受信したパケットをメモリ（不図示）に記憶する。アドレス変換部１２１（変換手段）は、ＣＰＵ（Ｃｅｎｔｒａｌ  Ｐｒｏｃｅｓｓｉｎｇ  Ｕｎｉｔ）などの演算手段によって実現される。アドレス変換部１２１は、ＬＡＮインタフェース３１０によってメモリに記憶されたパケットを読み出し、読み出したパケットの宛先を第１アドレスに変換し、宛先を変換したパケットをメモリに記憶する。転送制御部３２０（転送手段）は、アドレス変換部１２１によってメモリに記憶されたパケットを読み出し、読み出したパケットを転送する。【００５７】
また、ｅＮｏｄｅＢ機能部１２３（無線受信手段）は、無線受信したパケットをメモリに記憶する。アドレス変換部１２１（変換手段）は、ｅＮｏｄｅＢ機能部１２３によってメモリに記憶されたパケットを読み出し、読み出したパケットの宛先を第２アドレスに変換し、宛先を変換したパケットをメモリに記憶する。ＬＡＮインタフェース３１０（送信手段）は、アドレス変換部１２１によってメモリに記憶されたパケットを読み出し、読み出したパケットを送信する。【００５８】
図４は、フェムト基地局が記憶する対応情報の一例を示す図である。図３に示した対応情報記憶部３３０には、第１アドレスと第２アドレスとを対応付けた対応情報として、たとえば図４に示すテーブル４００が記憶されている。テーブル４００においては、ＵＥ（１，２，３，…）ごとに第１アドレスと第２アドレスとが対応付けられている。【００５９】
たとえば、フェムト基地局１２０のアドレス変換部１２１は、ウェブサーバ１１０から送信されたＤＬパケットの宛先が第２アドレス「１００．２００．１．１」である場合は、ＤＬパケットの宛先を第１アドレス「２００．２００．２．２」に変換する。【００６０】
また、アドレス変換部１２１は、ＵＥ１０５から送信されたＵＬパケットの宛先が第１アドレス「２００．２００．３４．５６」である場合は、ＵＬパケットの宛先を第２アドレス「１００．２００．１．２」に変換する。【００６１】
図５は、フェムト基地局が記憶する在圏情報の一例を示す図である。図３に示した在圏情報記憶部３４０には、在圏情報として、たとえば図５に示すテーブル５００が記憶されている。テーブル５００においては、ＵＥ（１，２，３，…）ごとに、第１アドレスと在圏フラグが対応付けられている。在圏フラグは、ＵＥ１０５がフェムト基地局１２０のフェムトセルに在圏か否かを示している。【００６２】
たとえば、ＵＥ１０５がフェムト基地局１２０のフェムトセルに在圏の場合は、対応する在圏フラグがｅＮｏｄｅＢ機能部１２３によって「Ｔｒｕｅ」に設定される。また、ＵＥ１０５がマクロ基地局１３３へハンドオーバした場合は、対応する在圏フラグがｅＮｏｄｅＢ機能部１２３によって「Ｆａｌｓｅ」に設定される。【００６３】
転送制御部３２０は、アドレス変換部１２１から出力されたＤＬパケットの宛先の第１アドレスに対応する在圏フラグが「Ｔｒｕｅ」の場合は、ＤＬパケットをゲートウェイ機能部１２２へ出力する。これにより、フェムト基地局１２０のフェムトセルに在圏のＵＥ１０５へＤＬパケットが無線送信される。【００６４】
また、転送制御部３２０は、アドレス変換部１２１から出力されたＤＬパケットの宛先の第１アドレスに対応する在圏フラグが「Ｆａｌｓｅ」の場合は、ＬＡＮインタフェース３１０を介してＤＬパケットをインターネット１０１へ転送する。これにより、マクロ基地局１３３へハンドオーバしたＵＥ１０５へＤＬパケットが転送される。【００６５】
（フェムト基地局の動作）
図６は、ＤＬパケット受信時におけるフェムト基地局の動作の一例を示すフローチャートである。まず、ＬＡＮインタフェース３１０が、ウェブサーバ１１０から送信された第２アドレスを宛先とするＤＬパケットを受信する（ステップＳ６０１）。つぎに、アドレス変換部１２１が、ステップＳ６０１によって受信されたＤＬパケットの宛先の第２アドレスを取得する（ステップＳ６０２）。【００６６】
つぎに、アドレス変換部１２１が、ステップＳ６０２によって取得された第２アドレスに対応する第１アドレスを、対応情報記憶部３３０に記憶された対応情報から検索する（ステップＳ６０３）。つぎに、アドレス変換部１２１が、ステップＳ６０１によって受信されたＤＬパケットの宛先を、ステップＳ６０３によって検索された第１アドレスに変換する（ステップＳ６０４）。【００６７】
つぎに、転送制御部３２０が、在圏情報記憶部３４０に記憶された在圏情報を参照し、ステップＳ６０３によって検索された第１アドレスに対応するＵＥ１０５がフェムトセルに在圏か否かを判断する（ステップＳ６０５）。ＵＥ１０５がフェムトセルに在圏の場合（ステップＳ６０５：Ｙｅｓ）は、ｅＮｏｄｅＢ機能部１２３が、ステップＳ６０４によって宛先を変換されたＤＬパケットをＵＥ１０５へ無線送信する（ステップＳ６０６）。【００６８】
ステップＳ６０５において、ＵＥ１０５がフェムトセルに在圏でない場合（ステップＳ６０５：Ｎｏ）は、転送制御部３２０が、ステップＳ６０４によって宛先を変換されたＤＬパケットをインターネット１０１へ転送する（ステップＳ６０７）。そして、ＤＬパケット受信時における一連の動作を終了する。【００６９】
図７は、ＵＬパケット受信時におけるフェムト基地局の動作の一例を示すフローチャートである。まず、ｅＮｏｄｅＢ機能部１２３が、ＵＥ１０５から無線送信された第１アドレスを送信元とするＵＬパケットを無線受信する（ステップＳ７０１）。つぎに、アドレス変換部１２１が、ステップＳ７０１によって無線受信されたＵＬパケットの送信元の第１アドレスを取得する（ステップＳ７０２）。【００７０】
つぎに、アドレス変換部１２１が、ステップＳ７０２によって取得された第１アドレスに対応する第２アドレスを、対応情報記憶部３３０に記憶された対応情報から検索する（ステップＳ７０３）。つぎに、アドレス変換部１２１が、ステップＳ７０１によって無線受信されたＵＬパケットの送信元を、ステップＳ７０３によって検索された第２アドレスに変換する（ステップＳ７０４）。【００７１】
つぎに、ＬＡＮインタフェース３１０が、ステップＳ７０４によって送信元を変換されたＵＬパケットをウェブサーバ１１０へ送信し（ステップＳ７０５）、ＵＬパケット受信時における一連の動作を終了する。【００７２】
（オペレータ網の具体的な構成）
図８は、オペレータ網の具体的な構成例を示すブロック図である。図８において、図２に示した構成と同様の構成については同一の符号を付して説明を省略する。図８に示すように、オペレータ網１０３は、通信装置８１０と、マクロ基地局１３３と、位置管理装置８２０と、を含んでいる。通信装置８１０は、通信インタフェース８１１と、対応情報記憶部８１２と、セッション情報記憶部８１３と、アドレス変換装置１３１と、ゲートウェイ装置１３２と、を備えている。【００７３】
通信インタフェース８１１は、インターネット１０１との通信インタフェースである。通信インタフェース８１１は、フェムト基地局１２０からインターネット１０１を介して転送されたＤＬパケットを受信し、受信したＤＬパケットをゲートウェイ装置１３２へ出力する。また、通信インタフェース８１１は、アドレス変換装置１３１またはゲートウェイ装置１３２から出力されたＵＬパケットをウェブサーバ１１０へ送信する。【００７４】
セッション情報記憶部８１３は、ＵＥ１０５のセッション状態を記憶する。ゲートウェイ装置１３２は、通信インタフェース８１１から出力されたＤＬパケットのプロトコル変換を行い、プロトコル変換を行ったＤＬパケットをマクロ基地局１３３へ送信する。また、ゲートウェイ装置１３２は、マクロ基地局１３３から送信されたＵＬパケットのプロトコル変換を行ってアドレス変換装置１３１へ出力する。【００７５】
また、ゲートウェイ装置１３２は、ゲートウェイ装置１３２を通過するＤＬパケットおよびＵＬパケットに基づいてＵＥ１０５のセッション状態を監視し、セッション状態の監視結果をセッション情報記憶部８１３に記憶させる。また、ゲートウェイ装置１３２は、セッション情報記憶部８１３に記憶されたセッション情報を読み出し、読み出したセッション情報に基づいて、フェムト基地局１２０を介したウェブサーバ１１０とＵＥ１０５との間のセッション終了を検出する。【００７６】
ゲートウェイ装置１３２は、ＵＥ１０５のセッション終了を検出すると、プロトコル変換を行ったＵＬパケットを、アドレス変換装置１３１を介さずに通信インタフェース８１１へ出力する。これにより、フェムト基地局１２０を介したウェブサーバ１１０とＵＥ１０５との間のセッション終了の後は、ＵＥ１０５からのＵＬパケットが、アドレス変換されずにウェブサーバ１１０へ送信される。【００７７】
位置管理装置８２０は、ＵＥ１０５の位置登録管理を行うＭＭＥ（Ｍｏｂｉｌｉｔｙ  Ｍａｎａｇｅｍｅｎｔ  Ｅｎｔｉｔｙ）である。位置管理装置８２０は、インターネット１０１および通信装置８１０の通信インタフェース８１１に接続されている。【００７８】
図９は、通信装置が記憶する対応情報の一例を示す図である。図８に示した対応情報記憶部８１２には、第１アドレスと第２アドレスとを対応付けた対応情報として、たとえば図９に示すテーブル９００が記憶されている。テーブル９００においては、ＵＥ（１，２，…）ごとに第１アドレスと第２アドレスとが対応付けられている。【００７９】
たとえば、アドレス変換装置１３１は、ＵＥ１０５から送信されたＵＬパケットの送信元が第１アドレス「２００．２００．２．２」である場合は、ＵＬパケットの送信元を第２アドレス「１００．２００．１．１」に変換する。【００８０】
また、アドレス変換装置１３１は、ＵＥ１０５から送信されたＵＬパケットの送信元が第１アドレス「１００．２００．１．１」である場合は、ＵＬパケットの送信元を第２アドレス「１００．２００．１２３．４５」に変換する。【００８１】
図１０は、通信装置が記憶するセッション情報の一例を示す図である。図８に示したセッション情報記憶部８１３には、セッション状態を示すセッション情報として、たとえば図１０に示すテーブル１０００が記憶されている。テーブル１０００においては、各ＵＥ（１，２，…）のセッション情報として、第１アドレス１０１０と、ポート番号１０２０と、プロトコル１０３０と、受信アドレス１０４０と、受信ポート番号１０５０と、最終使用時刻１０６０と、が対応付けられている。【００８２】
ポート番号１０２０は、各ＵＥが使用しているポート番号を示している。プロトコル１０３０は、各ＵＥが使用しているプロトコル（ＴＣＰなど）を示している。受信アドレス１０４０は、各ＵＥの通信先のアドレスを示している。受信ポート番号１０５０は、各ＵＥの通信先が使用しているポート番号を示している。最終使用時刻１０６０は、各ＵＥが送受信するパケットがゲートウェイ装置１３２を最後に通過した時刻を示している。【００８３】
ゲートウェイ装置１３２は、通信インタフェース８１１からＤＬパケットが出力されると、出力されたＤＬパケットの宛先の第１アドレスに該当するセッション情報をテーブル１０００から検索する。ゲートウェイ装置１３２は、該当するセッション情報が見つかった場合は、該当するセッション情報の最終使用時刻１０６０を更新する。【００８４】
また、ゲートウェイ装置１３２は、マクロ基地局１３３からＵＬパケットが送信されると、送信されたＵＬパケットの送信元の第１アドレスに該当するセッション情報をテーブル１０００から検索する。ゲートウェイ装置１３２は、該当するセッション情報が見つかった場合は、該当するセッション情報の最終使用時刻１０６０を更新する。【００８５】
また、ゲートウェイ装置１３２は、テーブル１０００の最終使用時刻１０６０を監視し、一定時間（たとえば１時間）以上更新されていないセッション情報をテーブル１０００から消去する。または、ゲートウェイ装置１３２は、ゲートウェイ装置１３２を通過するパケットのＴＣＰヘッダ（ＦＩＮフラグなど）に基づいてセッション終了を検出したときに、該当するセッション情報をテーブル１０００から消去するようにしてもよい。【００８６】
（オペレータ網の動作）
図１１は、ＤＬパケット受信時におけるオペレータ網の動作の一例を示すフローチャートである。まず、通信インタフェース８１１が、フェムト基地局１２０からインターネット１０１を介して転送された、第１アドレスを宛先とするＤＬパケットを受信する（ステップＳ１１０１）。つぎに、ゲートウェイ装置１３２が、ステップＳ１１０１によって受信されたＤＬパケットの宛先の第１アドレスを取得する（ステップＳ１１０２）。【００８７】
つぎに、ゲートウェイ装置１３２が、ステップＳ１１０２によって取得された第１アドレスに対応するセッション情報（最終使用時刻１０６０）を更新する（ステップＳ１１０３）。つぎに、マクロ基地局１３３が、ステップＳ１１０１によって受信されたＤＬパケットをＵＥ１０５へ無線送信し（ステップＳ１１０４）、一連の動作を終了する。【００８８】
図１２は、ＵＬパケット受信時におけるオペレータ網の動作の一例を示すフローチャートである。まず、マクロ基地局１３３が、ＵＥ１０５から無線送信された第１アドレスを送信元とするＵＬパケットを無線受信する（ステップＳ１２０１）。つぎに、ゲートウェイ装置１３２が、ステップＳ１２０１によって無線受信されたＵＬパケットの送信元の第１アドレスを取得する（ステップＳ１２０２）。【００８９】
つぎに、ゲートウェイ装置１３２が、セッション情報記憶部８１３に記憶されたセッション情報を参照し、ステップＳ１２０２によって取得された第１アドレスに対応するセッションが継続中であるか否かを判断する（ステップＳ１２０３）。セッションが継続中でない場合（ステップＳ１２０３：Ｎｏ）は、ステップＳ１２０６へ移行する。【００９０】
セッションが継続中である場合（ステップＳ１２０３：Ｙｅｓ）は、アドレス変換装置１３１が、ステップＳ１２０２によって取得された第１アドレスに対応する第２アドレスを、対応情報記憶部８１２に記憶された対応情報から検索する（ステップＳ１２０４）。【００９１】
つぎに、アドレス変換装置１３１が、ステップＳ１２０１によって受信されたＵＬパケットの送信元を、ステップＳ１２０４によって検索された第２アドレスに変換する（ステップＳ１２０５）。つぎに、通信インタフェース８１１が、ＵＬパケットをウェブサーバ１１０へ送信し（ステップＳ１２０６）、一連の動作を終了する。【００９２】
（通信システムの動作）
図１３は、通信システムのアタッチシーケンスの一例を示すシーケンス図である。通信システム１００において、ＵＥ１０５がフェムト基地局１２０のフェムトセルに入ると以下のようなアタッチシーケンスを行う。まず、ＵＥ１０５が、アタッチリクエストを、フェムト基地局１２０を介して位置管理装置８２０へ送信する（ステップＳ１３０１）。【００９３】
つぎに、位置管理装置８２０が、ベアラ設定要求をゲートウェイ装置１３２へ送信する（ステップＳ１３０２）。つぎに、ゲートウェイ装置１３２が、ＵＥ１０５に対して第１アドレスを割り当てる（ステップＳ１３０３）。つぎに、ゲートウェイ装置１３２が、ステップＳ１３０３によって割り当てられた第１アドレスを含むベアラ設定通知を位置管理装置８２０へ送信する（ステップＳ１３０４）。【００９４】
つぎに、位置管理装置８２０が、ステップＳ１３０４によって送信されたベアラ設定通知に含まれる第１アドレスを含む無線設定要求をフェムト基地局１２０へ送信する（ステップＳ１３０５）。つぎに、フェムト基地局１２０が、ステップＳ１３０５によって送信された無線設定要求に含まれる第１アドレスと第２アドレスとを対応付けた対応情報を対応情報記憶部８１２に記憶するアドレス変換設定を行う（ステップＳ１３０６）。【００９５】
ステップＳ１３０６における第２アドレスは、フェムト基地局１２０がＵＥ１０５に割り当てた第２アドレスである。つぎに、フェムト基地局１２０が、ステップＳ１３０５によって送信された無線設定要求に含まれる第１アドレスを含む無線設定要求をＵＥ１０５へ送信する（ステップＳ１３０７）。ＵＥ１０５は、ステップＳ１３０７によって送信された無線設定要求に含まれる第１アドレスをＵＥ１０５のアドレスとして設定する。【００９６】
つぎに、ＵＥ１０５が、無線設定を行った旨の無線設定通知をフェムト基地局１２０へ送信する（ステップＳ１３０８）。つぎに、フェムト基地局１２０が、無線設定を行った旨の無線設定通知を位置管理装置８２０へ送信する（ステップＳ１３０９）。つぎに、フェムト基地局１２０の中継によって、ＵＥ１０５とウェブサーバ１１０との間でパケットの送受信を開始し（ステップＳ１３１０）、一連のアタッチシーケンスを終了する。【００９７】
ステップＳ１３１０によって開始したパケットの送受信においては、フェムト基地局１２０によって第１アドレスと第２アドレスとの相互変換を行う。また、ステップＳ１３１０によって開始したパケットの送受信においては、フェムト基地局１２０のゲートウェイ機能部１２２のカプセリング／デカプセリングによって、オペレータ網１０３を介さずにフェムト基地局１２０とウェブサーバ１１０との間で通信を行う。【００９８】
このように、フェムト基地局１２０の対応情報記憶部３３０は、ＵＥ１０５がフェムト基地局１２０のフェムトセルにアタッチするときにオペレータ網１０３から通知される第１アドレスを記憶する。【００９９】
図１４は、通信システムのハンドオーバシーケンスの一例を示すシーケンス図である。通信システム１００において、ＵＥ１０５がフェムト基地局１２０のフェムトセルからマクロ基地局１３３の管理セルに移動すると以下のハンドオーバシーケンスを行う。まず、フェムト基地局１２０が、位置管理装置８２０へ、ＵＥ１０５の第２アドレスを含むハンドオーバリクエストを送信する（ステップＳ１４０１）。【０１００】
つぎに、位置管理装置８２０が、ステップＳ１４０１によって送信されたハンドオーバリクエストに含まれる第２アドレスを含むベアラ設定要求をゲートウェイ装置１３２へ送信する（ステップＳ１４０２）。つぎに、ゲートウェイ装置１３２が、ステップＳ１４０２によって送信されたベアラ設定要求に含まれる第２アドレスと、第１アドレスと、を含むアドレス変換要求をアドレス変換装置１３１へ送信する（ステップＳ１４０３）。【０１０１】
ステップＳ１４０３における第１アドレスは、図１３のステップＳ１３０３によってＵＥ１０５に割り当てられた第１アドレスである。つぎに、アドレス変換装置１３１が、ステップＳ１４０３によって送信されたアドレス変換要求に含まれる第２アドレスと、ＵＥ１０５の第１アドレスと、を対応付けた対応情報を対応情報記憶部８１２に記憶するアドレス変換設定を行う（ステップＳ１４０４）。【０１０２】
つぎに、ゲートウェイ装置１３２が、ベアラ設定を行った旨のベアラ設定通知を位置管理装置８２０へ送信する（ステップＳ１４０５）。つぎに、位置管理装置８２０が、ハンドオーバの実行指示を示すハンドオーバコマンドをフェムト基地局１２０へ送信する（ステップＳ１４０６）。つぎに、フェムト基地局１２０が、ＵＥ１０５の在圏フラグを「Ｆａｌｓｅ」に設定する転送先設定を行う（ステップＳ１４０７）。【０１０３】
つぎに、フェムト基地局１２０が、ハンドオーバコマンドをＵＥ１０５へ送信する（ステップＳ１４０８）。ＵＥ１０５は、ステップＳ１４０８によって送信されたハンドオーバコマンドに基づいて、フェムト基地局１２０からマクロ基地局１３３へのハンドオーバを行う。つぎに、ＵＥ１０５が、ハンドオーバを行った旨のハンドオーバ通知を、マクロ基地局１３３を介して位置管理装置８２０へ送信する（ステップＳ１４０９）。【０１０４】
つぎに、ＵＥ１０５とウェブサーバ１１０との間でパケットの送受信を開始し（ステップＳ１４１０）、一連のハンドオーバシーケンスを終了する。ステップＳ１４１０によって開始したパケットの送受信においては、ＤＬパケットに対して、フェムト基地局１２０によってアドレス変換および転送が行われる。また、ＵＬパケットに対して、アドレス変換装置１３１によってアドレス変換が行われる。【０１０５】
このように、フェムト基地局１２０は、ＵＥ１０５がマクロ基地局１３３へハンドオーバする場合に、ＵＥ１０５へ割り当てた第２アドレスをオペレータ網１０３へ通知する通知手段（ｅＮｏｄｅＢ機能部１２３）を備えている。これにより、オペレータ網１０３においてのアドレス変換装置１３１において、ＵＥ１０５からのＵＬパケットの宛先を第１アドレスから第２アドレスへ変換することが可能になる。【０１０６】
以上説明したように、開示の基地局、通信装置、中継方法および通信方法によれば、フェムト基地局１２０のフェムトセルからマクロ基地局１３３へハンドオーバしたＵＥ１０５が送受信するパケットをアドレス変換により転送することができる。【０１０７】
これにより、インターネット１０１のウェブサーバ１１０は、ＵＥ１０５と通信を行う場合に、ＵＥ１０５のアドレスとして第２アドレスを用いることで、ＵＥ１０５がハンドオーバしても通信を継続することができる。また、ＵＥ１０５は、ＵＥ１０５のアドレスとして第１アドレスを用いることで、フェムト基地局１２０のフェムトセルからマクロ基地局１３３へハンドオーバしても通信を継続することができる。【０１０８】
また、パケットをアドレス変換により転送することによって、転送パケットの情報量を削減することができる。たとえば、ＭＩＰのようにパケットのカプセリングによってパケットを転送する場合と異なり、転送パケットのヘッダ情報の増大を回避することができるため、転送パケットの情報量を削減することができる。【０１０９】
オペレータ網１０３において、フェムト基地局１２０から転送されたＤＬパケットを受信した場合は、受信したＤＬパケットをそのままＵＥ１０５へ無線送信することができる。このため、たとえばＭＩＰのように、転送パケットのカプセリングを解除するなどの処理が必要ない。このため、通信の高速化および処理負担の低減を図ることができる。【０１１０】
なお、上述の実施の形態においては、ＵＥ１０５がインターネット１０１上のウェブサーバ１１０と通信を行う場合について説明したが、ＵＥ１０５の通信先は、インターネット１０１を介して接続された他の通信装置であってもよい。
【図１】
2010106653.tif 000003
【図２】
2010106653.tif 000004
【図３】
2010106653.tif 000005
【図４】
2010106653.tif 000006
【図５】
2010106653.tif 000007
【図６】
2010106653.tif 000008
【図７】
2010106653.tif 000009
【図８】
2010106653.tif 000010
【図９】
2010106653.tif 000011
【図１０】
2010106653.tif 000012
【図１１】
2010106653.tif 000013
【図１２】
2010106653.tif 000014
【図１３】
2010106653.tif 000015
【図１４】
2010106653.tif 000016
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第２アドレスを宛先とするパケットを前記広域通信網から受信する受信手段と、
前記受信手段によって受信されたパケットの宛先を、前記記憶手段によって記憶された対応情報に基づいて前記第２アドレスから前記第１アドレスに変換する変換手段と、
前記移動端末が前記移動通信網に含まれる他の基地局へハンドオーバした場合に、前記変換手段によって宛先が変換されたパケットを前記移動通信網へ転送する転送手段と、
を備えることを特徴とする基地局。
【請求項２】
前記移動端末が前記無線エリアに在圏の場合に、前記変換手段によって宛先が変換されたパケットを前記移動端末へ無線送信する無線送信手段を備えることを特徴とする請求項１に記載の基地局。
【請求項３】
前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する第２変換手段と、
前記第２変換手段によって送信元が変換されたパケットを前記広域通信網へ送信する送信手段と、
を備えることを特徴とする請求項１に記載の基地局。
【請求項４】
前記記憶手段は、前記移動端末が前記無線エリアにアタッチするときに前記移動通信網から通知される前記第１アドレスを記憶することを特徴とする請求項１に記載の基地局。
【請求項５】
前記移動端末が前記他の基地局へハンドオーバするときに前記第２アドレスを前記移動通信網へ通知する通知手段を備えることを特徴とする請求項１に記載の基地局。
【請求項６】
周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する変換手段と、
前記変換手段によって送信元が変換されたパケットを前記広域通信網へ送信する送信手段と、
を備えることを特徴とする基地局。
【請求項７】
広域通信網に接続された無線エリアから移動通信網の基地局へハンドオーバした移動端末と前記広域通信網との通信を中継する、前記移動通信網に含まれる通信装置において、
前記移動通信網において前記移動端末に対して割り当てられた第１アドレスと、前記無線エリアにおいて前記移動端末に対して割り当てられた第２アドレスと、を対応付けた対応情報を記憶する記憶手段と、
前記移動端末から前記基地局へ無線送信され、前記第１アドレスを送信元とするパケットを前記基地局から受信する受信手段と、
前記受信手段によって受信されたパケットの送信元を、前記記憶手段によって記憶された対応情報に基づいて前記第１アドレスから前記第２アドレスに変換する変換手段と、
前記変換手段によって送信元が変換されたパケットを前記広域通信網へ送信する送信手段と、
を備えることを特徴とする通信装置。
【請求項８】
周囲の無線エリアの移動端末と広域通信網との間の通信を中継する中継方法において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶工程と、
前記第２アドレスを宛先とするパケットを前記広域通信網から受信する受信工程と、
前記受信工程によって受信されたパケットの宛先を、前記記憶工程によって記憶された対応情報に基づいて前記第２アドレスから前記第１アドレスに変換する変換工程と、
前記移動端末が前記移動通信網に含まれる他の基地局へハンドオーバした場合に、前記変換工程によって宛先が変換されたパケットを前記移動通信網へ転送する転送工程と、
を含むことを特徴とする中継方法。
【請求項９】
周囲の無線エリアの移動端末と広域通信網との間の通信を中継する中継方法において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶工程と、
前記第１アドレスを送信元とするパケットを前記移動端末から無線受信する無線受信工程と、
前記無線受信工程によって無線受信されたパケットの送信元を、前記記憶工程によって記憶された対応情報に基づいて前記第１アドレスから前記第２アドレスに変換する変換工程と、
前記変換工程によって送信元が変換されたパケットを前記広域通信網へ送信する送信工程と、
を含むことを特徴とする中継方法。
【請求項１０】
広域通信網に接続された無線エリアから移動通信網の基地局へハンドオーバした移動端末と前記広域通信網との通信を中継する前記移動通信網の通信方法において、
前記移動通信網において前記移動端末に対して割り当てられた第１アドレスと、前記無線エリアにおいて前記移動端末に対して割り当てられた第２アドレスと、を対応付けた対応情報を記憶する記憶工程と、
前記第１アドレスを送信元とするパケットを前記移動端末から無線受信する無線受信工程と、
前記無線受信工程によって無線受信されたパケットの送信元を、前記記憶工程によって記憶された対応情報に基づいて前記第１アドレスから前記第２アドレスに変換する変換工程と、
前記変換工程によって送信元が変換されたパケットを前記広域通信網へ送信する送信工程と、
を含むことを特徴とする通信方法。
【手続補正２】
【補正対象書類名】明細書
【補正対象項目名】全文
【補正方法】変更
【補正の内容】
【発明の詳細な説明】
【技術分野】
【０００１】
この発明は、移動端末のハンドオーバを行う基地局、通信装置、中継方法および通信方法に関する。
【背景技術】
【０００２】
近年、屋内に設置し、周囲の移動端末と無線通信を行うフェムト基地局が検討されている。フェムト基地局は、たとえば、移動端末と移動通信網との間の通信を中継する。フェムト基地局は、３ＧＰＰ（３ｒｄ  Ｇｅｎｅｒａｔｉｏｎ  Ｐａｒｔｎｅｒｓｈｉｐ  Ｐｒｏｊｅｃｔ）においても標準化作業が行われており、３ＧＰＰにおいてはＨｏｍｅ  ＮｏｄｅＢあるいはＨｏｍｅ  ｅＮｏｄｅＢと呼ばれている。
【０００３】
従来のモバイルネットワークにおいては、ＳＡＥ／ＬＴＥ（Ｓｅｒｖｉｃｅ  Ａｒｃｈｉｔｅｃｔｕｒｅ  Ｅｖｏｌｕｔｉｏｎ／Ｌｏｎｇ  Ｔｅｒｍ  Ｅｖｏｌｕｔｉｏｎ）におけるＰＤＮ−ＧＷ（Ｐａｃｋｅｔ  Ｄａｔａ  Ｎｅｔｗｏｒｋ  ＧａｔｅＷａｙ）をＩＰ網におけるＵＥ（Ｕｓｅｒ  Ｅｑｕｉｐｍｅｎｔ：移動端末）のアンカーポイントとして、ＧＴＰ（ＧＰＲＳ  Ｔｕｎｎｅｌｌｉｎｇ  Ｐｒｏｔｏｃｏｌ）などのトンネルによってＵＥまでパケットをルーティングしている。また、３ＧＰＰにおいてはＧＧＳＮ（Ｇａｔｅｗａｙ  ＧＰＲＳ  Ｓｕｐｐｏｒｔ  Ｎｏｄｅ）をアンカーポイントとする。
【０００４】
ＳＡＥ／ＬＴＥにおいては、インターネットからＵＥにユーザデータを送る場合の経路は、ＰＤＮ−ＧＷ、Ｓ−ＧＷ（Ｓｅｒｖｉｎｇ−ＧａｔｅＷａｙ）、ｅＮｏｄｅＢ、ＵＥの順である。逆に、ＵＥからインターネットにパケットを送る場合の経路は、ＵＥ、ｅＮｏｄｅＢ、Ｓ−ＧＷ、ＰＤＮ−ＧＷの順である。
【０００５】
フェムト基地局は、屋内のＬＡＮ（Ｌｏｃａｌ  Ａｒｅａ  Ｎｅｔｗｏｒｋ：構内通信網）からＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）やＦＴＴＨ（Ｆｉｂｅｒ  Ｔｏ  Ｔｈｅ  Ｈｏｍｅ）などのアクセス回線を利用してオペレータコア網の装置に接続される。
【０００６】
現在の３ＧＰＰにおける標準化によれば、フェムト基地局はＩＰｓｅｃトンネルを使用してオペレータ網に接続され、Ｓ−ＧＷとはマクロ基地局と同様にＳ１インタフェースで接続される。フェムト基地局はＡＤＳＬやＦＴＴＨなどを経由してオペレータ網に接続しているため、ＵＥのフェムトセル在圏時に、オペレータ網のノードを介さずにＵＥが直接インターネットにパケットを送受信すればオペレータ網のノードの負担が軽くなる。
【０００７】
このような機能を持ったフェムト基地局の構成がすでに提案されている。たとえば、従来、ＰＤＮ−ＧＷが持っていたインターネットへのゲートウェイ装置としての機能をフェムト基地局に持たせる。このような構成においては、フェムト基地局からオペレータ網の基地局へ移動端末がハンドオーバした場合に移動端末のＩＰアドレスが変わるため、移動端末とインターネットとの間の通信が切断される。
【０００８】
インターネットへの接続ポイントが変わるハンドオーバの前後で通信を継続させる技術としては、たとえばＭＩＰ（Ｍｏｂｉｌｅ  ＩＰ）がある（たとえば、下記特許文献１参照。）。ＭＩＰにおいては、ホームエージェントと呼ばれるノードをアンカーとして使用し、ホームエージェントへ送られてきたパケットにパケット転送用のヘッダを付けてカプセリングを行い、ハンドオーバ先へパケットを転送することによって通信を継続させる。
【先行技術文献】
【特許文献】
【０００９】
【特許文献１】特表２００５−５３０４５６号公報
【発明の概要】
【発明が解決しようとする課題】
【００１０】
しかしながら、上述した従来技術では、パケット転送時にパケットがカプセル化されるため、オーバーヘッドが生じて情報量が増加するという問題がある。特に、ＶｏＩＰ（Ｖｏｉｃｅ  ｏｖｅｒ  ＩＰ）におけるＲＴＰ（Ｒｅａｌ−ｔｉｍｅ  Ｔｒａｎｓｐｏｒｔ  Ｐｒｏｔｏｃｏｌ）パケットのようにペイロードが小さいパケットの場合は、各パケットに転送用のヘッダを追加すると情報量が大幅に増大する。このため、パケットを転送する通信区間における帯域の利用効率が低下するという問題がある。
【００１１】
開示の基地局、通信装置、中継方法および通信方法は、上述した問題点を解消するものであり、転送パケットの情報量を削減することを目的とする。
【課題を解決するための手段】
【００１２】
上述した課題を解決し、目的を達成するため、この基地局は、周囲の無線エリアの移動端末と広域通信網との間の通信を中継する基地局において、前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、前記第２アドレスを宛先とするパケットを前記広域通信網から受信する受信手段と、前記受信手段によって受信されたパケットの宛先を、前記記憶手段によって記憶された対応情報に基づいて前記第２アドレスから前記第１アドレスに変換する変換手段と、前記移動端末が前記移動通信網に含まれる他の基地局へハンドオーバした場合に、前記変換手段によって宛先が変換されたパケットを前記移動通信網へ転送する転送手段と、を備える。
【００１３】
上記構成によれば、広域通信網は、移動端末と通信を行う場合に、移動端末のアドレスとして第２アドレスを用いることで、移動端末がハンドオーバしても通信を継続することができる。また、移動端末は、移動端末のアドレスとして第１アドレスを用いることで、他の基地局へハンドオーバしても通信を継続することができる。また、パケットをアドレス変換により転送することによって、転送パケットの情報量を削減することができる。
【発明の効果】
【００１４】
開示の基地局、通信装置、中継方法および通信方法によれば、転送パケットの情報量を削減することができる。
【図面の簡単な説明】
【００１５】
【図１】図１は、実施の形態にかかる通信システムを示すブロック図（その１）である。
【図２】図２は、実施の形態にかかる通信システムを示すブロック図（その２）である。
【図３】図３は、フェムト基地局の具体的な構成例を示すブロック図である。
【図４】図４は、フェムト基地局が記憶する対応情報の一例を示す図である。
【図５】図５は、フェムト基地局が記憶する在圏情報の一例を示す図である。
【図６】図６は、ＤＬパケット受信時におけるフェムト基地局の動作の一例を示すフローチャートである。
【図７】図７は、ＵＬパケット受信時におけるフェムト基地局の動作の一例を示すフローチャートである。
【図８】図８は、オペレータ網の具体的な構成例を示すブロック図である。
【図９】図９は、通信装置が記憶する対応情報の一例を示す図である。
【図１０】図１０は、通信装置が記憶するセッション情報の一例を示す図である。
【図１１】図１１は、ＤＬパケット受信時におけるオペレータ網の動作の一例を示すフローチャートである。
【図１２】図１２は、ＵＬパケット受信時におけるオペレータ網の動作の一例を示すフローチャートである。
【図１３】図１３は、通信システムのアタッチシーケンスの一例を示すシーケンス図である。
【図１４】図１４は、通信システムのハンドオーバシーケンスの一例を示すシーケンス図である。
【発明を実施するための形態】
【００１６】
以下に添付図面を参照して、この基地局、通信装置、中継方法および通信方法の好適な実施の形態を詳細に説明する。この基地局、通信装置、中継方法および通信方法は、フェムトセルから移動通信網へハンドオーバした移動端末が送受信するパケットをアドレス変換により転送することで、パケットの情報量を削減する。
【００１７】
（実施の形態）
（ハンドオーバ前における通信システムの構成）
図１は、実施の形態にかかる通信システムを示すブロック図（その１）である。図１に示すように、実施の形態にかかる通信システム１００は、インターネット１０１と、ＬＡＮ１０２と、オペレータ網１０３と、を含んでいる。インターネット１０１は、ウェブサーバ１１０を含む広域通信網である。なお、広域通信網としては、インターネット１０１に代えて他のネットワークを用いてもよい。
【００１８】
ＬＡＮ１０２は、インターネット１０１に接続された構内通信網である。ＬＡＮ１０２は、フェムト基地局１２０を含んでいる。オペレータ網１０３は、インターネット１０１に接続された移動通信網である。オペレータ網１０３は、アドレス変換装置１３１と、ゲートウェイ装置１３２と、マクロ基地局１３３と、を含んでいる。
【００１９】
ＬＡＮ１０２のフェムト基地局１２０は、アドレス変換部１２１と、ゲートウェイ機能部１２２と、ｅＮｏｄｅＢ機能部１２３と、を備えている。フェムト基地局１２０は、周囲に形成したフェムトセルの移動端末とインターネット１０１との間の通信を中継する。たとえば、フェムト基地局１２０は、ＬＡＮ１０２が構築された屋内に位置するＵＥ１０５と無線通信を行い、ＵＥ１０５とインターネット１０１との間の通信を中継する。
【００２０】
なお、周囲の無線エリアの移動端末と広域通信網との間の通信を中継する基地局としては、フェムト基地局１２０に代えて他の形式の基地局を用いてもよい。ＵＥ１０５は、オペレータ網１０３において割り当てられた第１アドレスと、フェムト基地局１２０のフェムトセル（またはＬＡＮ１０２）において割り当てられた第２アドレスと、を有する。
【００２１】
（フェムト基地局のダウンリンクに関する処理）
つぎに、ウェブサーバ１１０からＵＥ１０５へ送信されるＤＬ（Ｄｏｗｎ  Ｌｉｎｋ）パケットに関するフェムト基地局１２０の処理について説明する。アドレス変換部１２１には、ウェブサーバ１１０から送信されたＤＬパケットが入力される。
【００２２】
ウェブサーバ１１０から送信されるＤＬの宛先（たとえばヘッダのＤＳＴフィールド）は、ＵＥ１０５に割り当てられた第２アドレスである。アドレス変換部１２１は、入力されたパケットの宛先を第２アドレスから第１アドレスへ変換し、宛先を変換したＤＬパケットをゲートウェイ機能部１２２へ出力する。
【００２３】
ゲートウェイ機能部１２２は、フェムト基地局１２０とインターネット１０１との間の通信（たとえばＩＰ通信）を、フェムト基地局１２０とＵＥ１０５との間の通信（たとえば３ＧＰＰ規格通信）のプロトコルにカプセリングする。具体的には、ゲートウェイ機能部１２２は、アドレス変換部１２１から出力されたＤＬパケットを３ＧＰＰのプロトコルのペイロードへ格納し、格納したＤＬパケットをｅＮｏｄｅＢ機能部１２３へ出力する。
【００２４】
ｅＮｏｄｅＢ機能部１２３は、たとえば３ＧＰＰにおけるＨｏｍｅ  ｅＮｏｄｅＢに相当する機能部である。ｅＮｏｄｅＢ機能部１２３は、ゲートウェイ機能部１２２から出力されたＤＬパケットをＵＥ１０５へ無線送信する。ｅＮｏｄｅＢ機能部１２３から無線送信されたＤＬパケットはＵＥ１０５によって無線受信される。
【００２５】
以上の構成により、インターネット１０１のウェブサーバ１１０は、ＵＥ１０５の第２アドレスを宛先としたＤＬパケットをフェムト基地局１２０へ送信することで、ＤＬパケットをＵＥ１０５に受信させることができる。また、ＵＥ１０５は、ウェブサーバ１１０から送信されたＤＬパケットを、第１アドレスを宛先として受信することができる。
【００２６】
（フェムト基地局のアップリンクに関する処理）
つぎに、ＵＥ１０５からウェブサーバ１１０へ送信されるＵＬ（Ｕｐ  Ｌｉｎｋ）パケットに関するフェムト基地局１２０の処理について説明する。ｅＮｏｄｅＢ機能部１２３は、ウェブサーバ１１０を宛先とするＵＬパケットをＵＥ１０５から無線受信し、無線受信したＵＬパケットをゲートウェイ機能部１２２へ出力する。
【００２７】
ＵＥ１０５から無線送信され、ｅＮｏｄｅＢ機能部１２３によって無線受信されるＵＬパケットの送信元（たとえばヘッダのＳＲＣフィールド）は、ＵＥ１０５の第１アドレスである。ゲートウェイ機能部１２２は、ｅＮｏｄｅＢ機能部１２３から出力されたＵＬパケットのデカプセリングを行ってアドレス変換部１２１へ出力する。
【００２８】
アドレス変換部１２１は、ゲートウェイ機能部１２２から出力されたＵＬパケットの送信元を第１アドレスから第２アドレスへ変換する。アドレス変換部１２１は、送信元を変換したＵＬパケットを出力する。アドレス変換部１２１から出力されたＵＬパケットは、インターネット１０１のウェブサーバ１１０へ送信される。
【００２９】
以上の構成により、ウェブサーバ１１０は、ＵＥ１０５から送信されたＵＬパケットを、送信元アドレスを第２アドレスとして受信することができる。また、ＵＥ１０５は、第１アドレスを送信元とするＵＬパケットをフェムト基地局１２０へ送信することで、第２アドレスを送信元とするＵＬパケットをウェブサーバ１１０に受信させることができる。
【００３０】
したがって、ウェブサーバ１１０は、ＵＥ１０５の第１アドレスをＵＥ１０５のアドレスとして認識することで、ＵＥ１０５へのＤＬパケットの送信と、ＵＥ１０５からのＵＬパケットの受信と、を行うことができる。一方、ＵＥ１０５は、ＵＥ１０５の第２アドレスをＵＥ１０５のアドレスとして認識することで、ウェブサーバ１１０からのＤＬパケットの受信と、ウェブサーバ１１０へのＵＬパケットの送信と、を行うことができる。
【００３１】
（ハンドオーバ後における通信システムの構成）
図２は、実施の形態にかかる通信システムを示すブロック図（その２）である。図２において、図１に示した構成と同様の構成については同一の符号を付して説明を省略する。図２は、図１に示した通信システム１００において、たとえばＵＥ１０５が屋外に出るなどして、フェムト基地局１２０のフェムトセルからオペレータ網１０３に含まれるマクロ基地局１３３へＵＥ１０５がハンドオーバした状態を示している。
【００３２】
（オペレータ網のダウンリンクに関する処理）
つぎに、ウェブサーバ１１０からＵＥ１０５へ送信されるＤＬパケットに関するオペレータ網１０３の処理について説明する。ＵＥ１０５がマクロ基地局１３３へハンドオーバした場合は、アドレス変換部１２１によって宛先が第１アドレスへ変換されたＤＬパケットはインターネット１０１へ転送される。
【００３３】
第１アドレスはオペレータ網１０３において割り当てられたアドレスであるため、インターネット１０１へ転送されたＤＬパケットは、インターネット１０１上の経路交換機によってオペレータ網１０３へ転送される。
【００３４】
ゲートウェイ装置１３２には、インターネット１０１から転送されたＤＬパケットが入力される。ゲートウェイ装置１３２は、オペレータ網１０３とインターネット１０１との間の通信（たとえばＩＰ通信）と、オペレータ網１０３とＵＥ１０５との間の通信（たとえば３ＧＰＰ規格通信）と、のカプセリング／デカプセリングを行う。具体的には、ゲートウェイ機能部１２２は、入力されたＤＬパケットのカプセリングを行い、カプセリングを行ったＤＬパケットをマクロ基地局１３３へ送信する。
【００３５】
マクロ基地局１３３は、ゲートウェイ装置１３２から送信されたＤＬパケットをＵＥ１０５へ無線送信する。マクロ基地局１３３から無線送信されたＤＬパケットはＵＥ１０５によって無線受信される。
【００３６】
以上の構成により、ウェブサーバ１１０は、ＵＥ１０５がマクロ基地局１３３へハンドオーバした後も、ＵＥ１０５の第２アドレスを宛先としたＤＬパケットをフェムト基地局１２０へ送信することで、ＤＬパケットをＵＥ１０５に受信させることができる。また、ＵＥ１０５は、マクロ基地局１３３へハンドオーバした後も、ＵＥ１０５の第１アドレスを宛先としたＤＬパケットを受信することができる。
【００３７】
（オペレータ網のアップリンクに関する処理）
つぎに、ＵＥ１０５からウェブサーバ１１０へ送信されるＵＬパケットに関するオペレータ網１０３の処理について説明する。マクロ基地局１３３は、ウェブサーバ１１０を宛先とするＵＬパケットをＵＥ１０５から無線受信する。
【００３８】
ＵＥ１０５から無線送信され、マクロ基地局１３３によって無線受信されるＵＬパケットの送信元は、ＵＥ１０５の第１アドレスである。マクロ基地局１３３は、無線受信したＵＬパケットをゲートウェイ装置１３２へ送信する。ゲートウェイ機能部１２２は、マクロ基地局１３３から送信されたＵＬパケットのデカプセリングを行い、デカプセリングを行ったＵＬパケットをアドレス変換装置１３１へ送信する。
【００３９】
アドレス変換装置１３１は、ゲートウェイ装置１３２から送信されたＵＬパケットの送信元を第１アドレスから第２アドレスへ変換する。アドレス変換装置１３１は、送信元を変換したＵＬパケットをインターネット１０１のウェブサーバ１１０へ送信する。
【００４０】
以上の構成により、インターネット１０１のウェブサーバ１１０は、ＵＥ１０５がマクロ基地局１３３へハンドオーバした後も、ＵＥ１０５の第２アドレスを宛先としたＵＬパケットを受信することができる。また、ＵＥ１０５は、第１アドレスを送信元とするＵＬパケットをマクロ基地局１３３へ送信することで、第２アドレスを送信元とするＵＬパケットをウェブサーバ１１０に受信させることができる。
【００４１】
したがって、ウェブサーバ１１０は、ＵＥ１０５の第１アドレスをＵＥ１０５のアドレスとして認識することで、ＵＥ１０５へのＤＬパケットの送信と、ＵＥ１０５からのＵＬパケットの受信と、を行うことができる。一方、ＵＥ１０５は、ＵＥ１０５の第２アドレスをＵＥ１０５のアドレスとして認識することで、ウェブサーバ１１０からのＤＬパケットの受信と、ウェブサーバ１１０へのＵＬパケットの送信と、を行うことができる。
【００４２】
図１，２に示したように、ウェブサーバ１１０は、ＵＥ１０５がフェムト基地局１２０のフェムトセルに在圏の場合と、ＵＥ１０５がマクロ基地局１３３へハンドオーバした場合と、のいずれにおいても第２アドレスを用いてＵＥ１０５と通信を行うことができる。
【００４３】
一方、ＵＥ１０５は、フェムト基地局１２０のフェムトセルに在圏の場合と、マクロ基地局１３３へハンドオーバした場合と、のいずれにおいても第１アドレスを用いてウェブサーバ１１０と通信を行うことができる。このため、ＵＥ１０５がフェムト基地局１２０からマクロ基地局１３３へハンドオーバしても、ＵＥ１０５とウェブサーバ１１０との間の通信を継続することができる。
【００４４】
（フェムト基地局の具体的な構成）
図３は、フェムト基地局の具体的な構成例を示すブロック図である。図３において、図１に示した構成と同様の構成については同一の符号を付して説明を省略する。図３に示すように、フェムト基地局１２０は、アドレス変換部１２１と、ゲートウェイ機能部１２２と、ｅＮｏｄｅＢ機能部１２３と、ＬＡＮインタフェース３１０と、転送制御部３２０と、対応情報記憶部３３０と、在圏情報記憶部３４０と、を備えている。
【００４５】
ＬＡＮインタフェース３１０は、ＬＡＮ１０２との通信インタフェースである。具体的には、ＬＡＮインタフェース３１０は、ウェブサーバ１１０からＬＡＮ１０２を介して送信されたＤＬパケットを受信する。ＬＡＮインタフェース３１０は、受信したＤＬパケットをアドレス変換部１２１へ出力する。
【００４６】
また、ＬＡＮインタフェース３１０は、アドレス変換部１２１から出力されたＵＬパケットを、ＬＡＮ１０２を介してウェブサーバ１１０へ送信する。また、ＬＡＮインタフェース３１０は、転送制御部３２０から出力されたＤＬパケットを、ＬＡＮ１０２を介してインターネット１０１へ転送する。
【００４７】
対応情報記憶部３３０は、オペレータ網１０３においてＵＥ１０５に対して割り当てられた第１アドレスと、フェムト基地局１２０においてＵＥ１０５に対して割り当てられた第２アドレスと、を対応付けた対応情報を記憶する。在圏情報記憶部３４０は、ＵＥ１０５が、フェムト基地局１２０のフェムトセルに在圏か、あるいはＵＥ１０５がマクロ基地局１３３へハンドオーバしたかを示す在圏情報を記憶する。
【００４８】
アドレス変換部１２１は、対応情報記憶部３３０から対応情報を読み出す。そして、アドレス変換部１２１は、ＬＡＮインタフェース３１０から出力されたＤＬパケットの宛先を、読み出した対応情報に基づいて第２アドレスから第１アドレスへ変換する。そして、アドレス変換部１２１は、宛先を変換したＤＬパケットを転送制御部３２０へ出力する。
【００４９】
また、アドレス変換部１２１は、ゲートウェイ機能部１２２から出力されたＵＬパケットの宛先を、対応情報記憶部３３０から読み出した対応情報に基づいて第１アドレスから第２アドレスへ変換する。そして、アドレス変換部１２１は、宛先を変換したＵＬパケットをＬＡＮインタフェース３１０へ出力する。
【００５０】
転送制御部３２０は、在圏情報記憶部３４０から在圏情報を読み出し、読み出した在圏情報に基づいて、ＵＥ１０５がフェムト基地局１２０のフェムトセルに在圏か、あるいはＵＥ１０５がマクロ基地局１３３へハンドオーバしたかを判断する。
【００５１】
転送制御部３２０は、ＵＥ１０５がフェムト基地局１２０のフェムトセルに在圏と判断した場合は、アドレス変換部１２１から出力されたＤＬパケットをゲートウェイ機能部１２２へ出力する。これにより、ＤＬパケットが、ゲートウェイ機能部１２２およびｅＮｏｄｅＢ機能部１２３を介してＵＥ１０５へ送信される。
【００５２】
また、転送制御部３２０は、ＵＥ１０５がオペレータ網１０３のマクロ基地局１３３へハンドオーバしたと判断した場合に、アドレス変換部１２１から出力されたＤＬパケットをＬＡＮインタフェース３１０へ出力する。これにより、ＤＬパケットが、インターネット１０１を介してオペレータ網１０３へ転送される。
【００５３】
ゲートウェイ機能部１２２は、転送制御部３２０から出力されたＤＬパケットをカプセリングし、カプセリングしたＤＬパケットをｅＮｏｄｅＢ機能部１２３へ出力する。また、ゲートウェイ機能部１２２は、ｅＮｏｄｅＢ機能部１２３から出力されたＤＬパケットをデカプセリングしてアドレス変換部１２１へ出力する。
【００５４】
ｅＮｏｄｅＢ機能部１２３は、上述したＤＬパケットの無線送信およびＵＬパケットの無線受信を行うとともに、フェムト基地局１２０のフェムトセルにおけるＵＥ１０５の在圏状態を監視する。ｅＮｏｄｅＢ機能部１２３は、ＵＥ１０５の在圏状態の監視結果を在圏情報記憶部３４０に記憶させる。また、ｅＮｏｄｅＢ機能部１２３は、ＵＥ１０５がマクロ基地局１３３へハンドオーバする場合に、ＵＥ１０５へ割り当てた第２アドレスを、ＬＡＮインタフェース３１０を介してオペレータ網１０３へ通知する。
【００５５】
上記の構成において、ＬＡＮインタフェース３１０（受信手段）は、受信したパケットをメモリ（不図示）に記憶する。アドレス変換部１２１（変換手段）は、ＣＰＵ（Ｃｅｎｔｒａｌ  Ｐｒｏｃｅｓｓｉｎｇ  Ｕｎｉｔ）などの演算手段によって実現される。アドレス変換部１２１は、ＬＡＮインタフェース３１０によってメモリに記憶されたパケットを読み出し、読み出したパケットの宛先を第１アドレスに変換し、宛先を変換したパケットをメモリに記憶する。転送制御部３２０（転送手段）は、アドレス変換部１２１によってメモリに記憶されたパケットを読み出し、読み出したパケットを転送する。
【００５６】
また、ｅＮｏｄｅＢ機能部１２３（無線受信手段）は、無線受信したパケットをメモリに記憶する。アドレス変換部１２１（変換手段）は、ｅＮｏｄｅＢ機能部１２３によってメモリに記憶されたパケットを読み出し、読み出したパケットの宛先を第２アドレスに変換し、宛先を変換したパケットをメモリに記憶する。ＬＡＮインタフェース３１０（送信手段）は、アドレス変換部１２１によってメモリに記憶されたパケットを読み出し、読み出したパケットを送信する。
【００５７】
図４は、フェムト基地局が記憶する対応情報の一例を示す図である。図３に示した対応情報記憶部３３０には、第１アドレスと第２アドレスとを対応付けた対応情報として、たとえば図４に示すテーブル４００が記憶されている。テーブル４００においては、ＵＥ（１，２，３，…）ごとに第１アドレスと第２アドレスとが対応付けられている。
【００５８】
たとえば、フェムト基地局１２０のアドレス変換部１２１は、ウェブサーバ１１０から送信されたＤＬパケットの宛先が第２アドレス「１００．２００．１．１」である場合は、ＤＬパケットの宛先を第１アドレス「２００．２００．２．２」に変換する。
【００５９】
また、アドレス変換部１２１は、ＵＥ１０５から送信されたＵＬパケットの宛先が第１アドレス「２００．２００．３４．５６」である場合は、ＵＬパケットの宛先を第２アドレス「１００．２００．１．２」に変換する。
【００６０】
図５は、フェムト基地局が記憶する在圏情報の一例を示す図である。図３に示した在圏情報記憶部３４０には、在圏情報として、たとえば図５に示すテーブル５００が記憶されている。テーブル５００においては、ＵＥ（１，２，３，…）ごとに、第１アドレスと在圏フラグが対応付けられている。在圏フラグは、ＵＥ１０５がフェムト基地局１２０のフェムトセルに在圏か否かを示している。
【００６１】
たとえば、ＵＥ１０５がフェムト基地局１２０のフェムトセルに在圏の場合は、対応する在圏フラグがｅＮｏｄｅＢ機能部１２３によって「Ｔｒｕｅ」に設定される。また、ＵＥ１０５がマクロ基地局１３３へハンドオーバした場合は、対応する在圏フラグがｅＮｏｄｅＢ機能部１２３によって「Ｆａｌｓｅ」に設定される。
【００６２】
転送制御部３２０は、アドレス変換部１２１から出力されたＤＬパケットの宛先の第１アドレスに対応する在圏フラグが「Ｔｒｕｅ」の場合は、ＤＬパケットをゲートウェイ機能部１２２へ出力する。これにより、フェムト基地局１２０のフェムトセルに在圏のＵＥ１０５へＤＬパケットが無線送信される。
【００６３】
また、転送制御部３２０は、アドレス変換部１２１から出力されたＤＬパケットの宛先の第１アドレスに対応する在圏フラグが「Ｆａｌｓｅ」の場合は、ＬＡＮインタフェース３１０を介してＤＬパケットをインターネット１０１へ転送する。これにより、マクロ基地局１３３へハンドオーバしたＵＥ１０５へＤＬパケットが転送される。
【００６４】
（フェムト基地局の動作）
図６は、ＤＬパケット受信時におけるフェムト基地局の動作の一例を示すフローチャートである。まず、ＬＡＮインタフェース３１０が、ウェブサーバ１１０から送信された第２アドレスを宛先とするＤＬパケットを受信する（ステップＳ６０１）。つぎに、アドレス変換部１２１が、ステップＳ６０１によって受信されたＤＬパケットの宛先の第２アドレスを取得する（ステップＳ６０２）。
【００６５】
つぎに、アドレス変換部１２１が、ステップＳ６０２によって取得された第２アドレスに対応する第１アドレスを、対応情報記憶部３３０に記憶された対応情報から検索する（ステップＳ６０３）。つぎに、アドレス変換部１２１が、ステップＳ６０１によって受信されたＤＬパケットの宛先を、ステップＳ６０３によって検索された第１アドレスに変換する（ステップＳ６０４）。
【００６６】
つぎに、転送制御部３２０が、在圏情報記憶部３４０に記憶された在圏情報を参照し、ステップＳ６０３によって検索された第１アドレスに対応するＵＥ１０５がフェムトセルに在圏か否かを判断する（ステップＳ６０５）。ＵＥ１０５がフェムトセルに在圏の場合（ステップＳ６０５：Ｙｅｓ）は、ｅＮｏｄｅＢ機能部１２３が、ステップＳ６０４によって宛先を変換されたＤＬパケットをＵＥ１０５へ無線送信する（ステップＳ６０６）。
【００６７】
ステップＳ６０５において、ＵＥ１０５がフェムトセルに在圏でない場合（ステップＳ６０５：Ｎｏ）は、転送制御部３２０が、ステップＳ６０４によって宛先を変換されたＤＬパケットをインターネット１０１へ転送する（ステップＳ６０７）。そして、ＤＬパケット受信時における一連の動作を終了する。
【００６８】
図７は、ＵＬパケット受信時におけるフェムト基地局の動作の一例を示すフローチャートである。まず、ｅＮｏｄｅＢ機能部１２３が、ＵＥ１０５から無線送信された第１アドレスを送信元とするＵＬパケットを無線受信する（ステップＳ７０１）。つぎに、アドレス変換部１２１が、ステップＳ７０１によって無線受信されたＵＬパケットの送信元の第１アドレスを取得する（ステップＳ７０２）。
【００６９】
つぎに、アドレス変換部１２１が、ステップＳ７０２によって取得された第１アドレスに対応する第２アドレスを、対応情報記憶部３３０に記憶された対応情報から検索する（ステップＳ７０３）。つぎに、アドレス変換部１２１が、ステップＳ７０１によって無線受信されたＵＬパケットの送信元を、ステップＳ７０３によって検索された第２アドレスに変換する（ステップＳ７０４）。
【００７０】
つぎに、ＬＡＮインタフェース３１０が、ステップＳ７０４によって送信元を変換されたＵＬパケットをウェブサーバ１１０へ送信し（ステップＳ７０５）、ＵＬパケット受信時における一連の動作を終了する。
【００７１】
（オペレータ網の具体的な構成）
図８は、オペレータ網の具体的な構成例を示すブロック図である。図８において、図２に示した構成と同様の構成については同一の符号を付して説明を省略する。図８に示すように、オペレータ網１０３は、通信装置８１０と、マクロ基地局１３３と、位置管理装置８２０と、を含んでいる。通信装置８１０は、通信インタフェース８１１と、対応情報記憶部８１２と、セッション情報記憶部８１３と、アドレス変換装置１３１と、ゲートウェイ装置１３２と、を備えている。
【００７２】
通信インタフェース８１１は、インターネット１０１との通信インタフェースである。通信インタフェース８１１は、フェムト基地局１２０からインターネット１０１を介して転送されたＤＬパケットを受信し、受信したＤＬパケットをゲートウェイ装置１３２へ出力する。また、通信インタフェース８１１は、アドレス変換装置１３１またはゲートウェイ装置１３２から出力されたＵＬパケットをウェブサーバ１１０へ送信する。
【００７３】
セッション情報記憶部８１３は、ＵＥ１０５のセッション状態を記憶する。ゲートウェイ装置１３２は、通信インタフェース８１１から出力されたＤＬパケットのプロトコル変換を行い、プロトコル変換を行ったＤＬパケットをマクロ基地局１３３へ送信する。また、ゲートウェイ装置１３２は、マクロ基地局１３３から送信されたＵＬパケットのプロトコル変換を行ってアドレス変換装置１３１へ出力する。
【００７４】
また、ゲートウェイ装置１３２は、ゲートウェイ装置１３２を通過するＤＬパケットおよびＵＬパケットに基づいてＵＥ１０５のセッション状態を監視し、セッション状態の監視結果をセッション情報記憶部８１３に記憶させる。また、ゲートウェイ装置１３２は、セッション情報記憶部８１３に記憶されたセッション情報を読み出し、読み出したセッション情報に基づいて、フェムト基地局１２０を介したウェブサーバ１１０とＵＥ１０５との間のセッション終了を検出する。
【００７５】
ゲートウェイ装置１３２は、ＵＥ１０５のセッション終了を検出すると、プロトコル変換を行ったＵＬパケットを、アドレス変換装置１３１を介さずに通信インタフェース８１１へ出力する。これにより、フェムト基地局１２０を介したウェブサーバ１１０とＵＥ１０５との間のセッション終了の後は、ＵＥ１０５からのＵＬパケットが、アドレス変換されずにウェブサーバ１１０へ送信される。
【００７６】
位置管理装置８２０は、ＵＥ１０５の位置登録管理を行うＭＭＥ（Ｍｏｂｉｌｉｔｙ  Ｍａｎａｇｅｍｅｎｔ  Ｅｎｔｉｔｙ）である。位置管理装置８２０は、インターネット１０１および通信装置８１０の通信インタフェース８１１に接続されている。
【００７７】
図９は、通信装置が記憶する対応情報の一例を示す図である。図８に示した対応情報記憶部８１２には、第１アドレスと第２アドレスとを対応付けた対応情報として、たとえば図９に示すテーブル９００が記憶されている。テーブル９００においては、ＵＥ（１，２，…）ごとに第１アドレスと第２アドレスとが対応付けられている。
【００７８】
たとえば、アドレス変換装置１３１は、ＵＥ１０５から送信されたＵＬパケットの送信元が第１アドレス「２００．２００．２．２」である場合は、ＵＬパケットの送信元を第２アドレス「１００．２００．１．１」に変換する。
【００７９】
また、アドレス変換装置１３１は、ＵＥ１０５から送信されたＵＬパケットの送信元が第１アドレス「１００．２００．１．１」である場合は、ＵＬパケットの送信元を第２アドレス「１００．２００．１２３．４５」に変換する。
【００８０】
図１０は、通信装置が記憶するセッション情報の一例を示す図である。図８に示したセッション情報記憶部８１３には、セッション状態を示すセッション情報として、たとえば図１０に示すテーブル１０００が記憶されている。テーブル１０００においては、各ＵＥ（１，２，…）のセッション情報として、第１アドレス１０１０と、ポート番号１０２０と、プロトコル１０３０と、受信アドレス１０４０と、受信ポート番号１０５０と、最終使用時刻１０６０と、が対応付けられている。
【００８１】
ポート番号１０２０は、各ＵＥが使用しているポート番号を示している。プロトコル１０３０は、各ＵＥが使用しているプロトコル（ＴＣＰなど）を示している。受信アドレス１０４０は、各ＵＥの通信先のアドレスを示している。受信ポート番号１０５０は、各ＵＥの通信先が使用しているポート番号を示している。最終使用時刻１０６０は、各ＵＥが送受信するパケットがゲートウェイ装置１３２を最後に通過した時刻を示している。
【００８２】
ゲートウェイ装置１３２は、通信インタフェース８１１からＤＬパケットが出力されると、出力されたＤＬパケットの宛先の第１アドレスに該当するセッション情報をテーブル１０００から検索する。ゲートウェイ装置１３２は、該当するセッション情報が見つかった場合は、該当するセッション情報の最終使用時刻１０６０を更新する。
【００８３】
また、ゲートウェイ装置１３２は、マクロ基地局１３３からＵＬパケットが送信されると、送信されたＵＬパケットの送信元の第１アドレスに該当するセッション情報をテーブル１０００から検索する。ゲートウェイ装置１３２は、該当するセッション情報が見つかった場合は、該当するセッション情報の最終使用時刻１０６０を更新する。
【００８４】
また、ゲートウェイ装置１３２は、テーブル１０００の最終使用時刻１０６０を監視し、一定時間（たとえば１時間）以上更新されていないセッション情報をテーブル１０００から消去する。または、ゲートウェイ装置１３２は、ゲートウェイ装置１３２を通過するパケットのＴＣＰヘッダ（ＦＩＮフラグなど）に基づいてセッション終了を検出したときに、該当するセッション情報をテーブル１０００から消去するようにしてもよい。
【００８５】
（オペレータ網の動作）
図１１は、ＤＬパケット受信時におけるオペレータ網の動作の一例を示すフローチャートである。まず、通信インタフェース８１１が、フェムト基地局１２０からインターネット１０１を介して転送された、第１アドレスを宛先とするＤＬパケットを受信する（ステップＳ１１０１）。つぎに、ゲートウェイ装置１３２が、ステップＳ１１０１によって受信されたＤＬパケットの宛先の第１アドレスを取得する（ステップＳ１１０２）。
【００８６】
つぎに、ゲートウェイ装置１３２が、ステップＳ１１０２によって取得された第１アドレスに対応するセッション情報（最終使用時刻１０６０）を更新する（ステップＳ１１０３）。つぎに、マクロ基地局１３３が、ステップＳ１１０１によって受信されたＤＬパケットをＵＥ１０５へ無線送信し（ステップＳ１１０４）、一連の動作を終了する。
【００８７】
図１２は、ＵＬパケット受信時におけるオペレータ網の動作の一例を示すフローチャートである。まず、マクロ基地局１３３が、ＵＥ１０５から無線送信された第１アドレスを送信元とするＵＬパケットを無線受信する（ステップＳ１２０１）。つぎに、ゲートウェイ装置１３２が、ステップＳ１２０１によって無線受信されたＵＬパケットの送信元の第１アドレスを取得する（ステップＳ１２０２）。
【００８８】
つぎに、ゲートウェイ装置１３２が、セッション情報記憶部８１３に記憶されたセッション情報を参照し、ステップＳ１２０２によって取得された第１アドレスに対応するセッションが継続中であるか否かを判断する（ステップＳ１２０３）。セッションが継続中でない場合（ステップＳ１２０３：Ｎｏ）は、ステップＳ１２０６へ移行する。
【００８９】
セッションが継続中である場合（ステップＳ１２０３：Ｙｅｓ）は、アドレス変換装置１３１が、ステップＳ１２０２によって取得された第１アドレスに対応する第２アドレスを、対応情報記憶部８１２に記憶された対応情報から検索する（ステップＳ１２０４）。
【００９０】
つぎに、アドレス変換装置１３１が、ステップＳ１２０１によって受信されたＵＬパケットの送信元を、ステップＳ１２０４によって検索された第２アドレスに変換する（ステップＳ１２０５）。つぎに、通信インタフェース８１１が、ＵＬパケットをウェブサーバ１１０へ送信し（ステップＳ１２０６）、一連の動作を終了する。
【００９１】
（通信システムの動作）
図１３は、通信システムのアタッチシーケンスの一例を示すシーケンス図である。通信システム１００において、ＵＥ１０５がフェムト基地局１２０のフェムトセルに入ると以下のようなアタッチシーケンスを行う。まず、ＵＥ１０５が、アタッチリクエストを、フェムト基地局１２０を介して位置管理装置８２０へ送信する（ステップＳ１３０１）。
【００９２】
つぎに、位置管理装置８２０が、ベアラ設定要求をゲートウェイ装置１３２へ送信する（ステップＳ１３０２）。つぎに、ゲートウェイ装置１３２が、ＵＥ１０５に対して第１アドレスを割り当てる（ステップＳ１３０３）。つぎに、ゲートウェイ装置１３２が、ステップＳ１３０３によって割り当てられた第１アドレスを含むベアラ設定通知を位置管理装置８２０へ送信する（ステップＳ１３０４）。
【００９３】
つぎに、位置管理装置８２０が、ステップＳ１３０４によって送信されたベアラ設定通知に含まれる第１アドレスを含む無線設定要求をフェムト基地局１２０へ送信する（ステップＳ１３０５）。つぎに、フェムト基地局１２０が、ステップＳ１３０５によって送信された無線設定要求に含まれる第１アドレスと第２アドレスとを対応付けた対応情報を対応情報記憶部８１２に記憶するアドレス変換設定を行う（ステップＳ１３０６）。
【００９４】
ステップＳ１３０６における第２アドレスは、フェムト基地局１２０がＵＥ１０５に割り当てた第２アドレスである。つぎに、フェムト基地局１２０が、ステップＳ１３０５によって送信された無線設定要求に含まれる第１アドレスを含む無線設定要求をＵＥ１０５へ送信する（ステップＳ１３０７）。ＵＥ１０５は、ステップＳ１３０７によって送信された無線設定要求に含まれる第１アドレスをＵＥ１０５のアドレスとして設定する。
【００９５】
つぎに、ＵＥ１０５が、無線設定を行った旨の無線設定通知をフェムト基地局１２０へ送信する（ステップＳ１３０８）。つぎに、フェムト基地局１２０が、無線設定を行った旨の無線設定通知を位置管理装置８２０へ送信する（ステップＳ１３０９）。つぎに、フェムト基地局１２０の中継によって、ＵＥ１０５とウェブサーバ１１０との間でパケットの送受信を開始し（ステップＳ１３１０）、一連のアタッチシーケンスを終了する。
【００９６】
ステップＳ１３１０によって開始したパケットの送受信においては、フェムト基地局１２０によって第１アドレスと第２アドレスとの相互変換を行う。また、ステップＳ１３１０によって開始したパケットの送受信においては、フェムト基地局１２０のゲートウェイ機能部１２２のカプセリング／デカプセリングによって、オペレータ網１０３を介さずにフェムト基地局１２０とウェブサーバ１１０との間で通信を行う。
【００９７】
このように、フェムト基地局１２０の対応情報記憶部３３０は、ＵＥ１０５がフェムト基地局１２０のフェムトセルにアタッチするときにオペレータ網１０３から通知される第１アドレスを記憶する。
【００９８】
図１４は、通信システムのハンドオーバシーケンスの一例を示すシーケンス図である。通信システム１００において、ＵＥ１０５がフェムト基地局１２０のフェムトセルからマクロ基地局１３３の管理セルに移動すると以下のハンドオーバシーケンスを行う。まず、フェムト基地局１２０が、位置管理装置８２０へ、ＵＥ１０５の第２アドレスを含むハンドオーバリクエストを送信する（ステップＳ１４０１）。
【００９９】
つぎに、位置管理装置８２０が、ステップＳ１４０１によって送信されたハンドオーバリクエストに含まれる第２アドレスを含むベアラ設定要求をゲートウェイ装置１３２へ送信する（ステップＳ１４０２）。つぎに、ゲートウェイ装置１３２が、ステップＳ１４０２によって送信されたベアラ設定要求に含まれる第２アドレスと、第１アドレスと、を含むアドレス変換要求をアドレス変換装置１３１へ送信する（ステップＳ１４０３）。
【０１００】
ステップＳ１４０３における第１アドレスは、図１３のステップＳ１３０３によってＵＥ１０５に割り当てられた第１アドレスである。つぎに、アドレス変換装置１３１が、ステップＳ１４０３によって送信されたアドレス変換要求に含まれる第２アドレスと、ＵＥ１０５の第１アドレスと、を対応付けた対応情報を対応情報記憶部８１２に記憶するアドレス変換設定を行う（ステップＳ１４０４）。
【０１０１】
つぎに、ゲートウェイ装置１３２が、ベアラ設定を行った旨のベアラ設定通知を位置管理装置８２０へ送信する（ステップＳ１４０５）。つぎに、位置管理装置８２０が、ハンドオーバの実行指示を示すハンドオーバコマンドをフェムト基地局１２０へ送信する（ステップＳ１４０６）。つぎに、フェムト基地局１２０が、ＵＥ１０５の在圏フラグを「Ｆａｌｓｅ」に設定する転送先設定を行う（ステップＳ１４０７）。
【０１０２】
つぎに、フェムト基地局１２０が、ハンドオーバコマンドをＵＥ１０５へ送信する（ステップＳ１４０８）。ＵＥ１０５は、ステップＳ１４０８によって送信されたハンドオーバコマンドに基づいて、フェムト基地局１２０からマクロ基地局１３３へのハンドオーバを行う。つぎに、ＵＥ１０５が、ハンドオーバを行った旨のハンドオーバ通知を、マクロ基地局１３３を介して位置管理装置８２０へ送信する（ステップＳ１４０９）。
【０１０３】
つぎに、ＵＥ１０５とウェブサーバ１１０との間でパケットの送受信を開始し（ステップＳ１４１０）、一連のハンドオーバシーケンスを終了する。ステップＳ１４１０によって開始したパケットの送受信においては、ＤＬパケットに対して、フェムト基地局１２０によってアドレス変換および転送が行われる。また、ＵＬパケットに対して、アドレス変換装置１３１によってアドレス変換が行われる。
【０１０４】
このように、フェムト基地局１２０は、ＵＥ１０５がマクロ基地局１３３へハンドオーバする場合に、ＵＥ１０５へ割り当てた第２アドレスをオペレータ網１０３へ通知する通知手段（ｅＮｏｄｅＢ機能部１２３）を備えている。これにより、オペレータ網１０３においてのアドレス変換装置１３１において、ＵＥ１０５からのＵＬパケットの宛先を第１アドレスから第２アドレスへ変換することが可能になる。
【０１０５】
以上説明したように、開示の基地局、通信装置、中継方法および通信方法によれば、フェムト基地局１２０のフェムトセルからマクロ基地局１３３へハンドオーバしたＵＥ１０５が送受信するパケットをアドレス変換により転送することができる。
【０１０６】
これにより、インターネット１０１のウェブサーバ１１０は、ＵＥ１０５と通信を行う場合に、ＵＥ１０５のアドレスとして第２アドレスを用いることで、ＵＥ１０５がハンドオーバしても通信を継続することができる。また、ＵＥ１０５は、ＵＥ１０５のアドレスとして第１アドレスを用いることで、フェムト基地局１２０のフェムトセルからマクロ基地局１３３へハンドオーバしても通信を継続することができる。
【０１０７】
また、パケットをアドレス変換により転送することによって、転送パケットの情報量を削減することができる。たとえば、ＭＩＰのようにパケットのカプセリングによってパケットを転送する場合と異なり、転送パケットのヘッダ情報の増大を回避することができるため、転送パケットの情報量を削減することができる。
【０１０８】
オペレータ網１０３において、フェムト基地局１２０から転送されたＤＬパケットを受信した場合は、受信したＤＬパケットをそのままＵＥ１０５へ無線送信することができる。このため、たとえばＭＩＰのように、転送パケットのカプセリングを解除するなどの処理が必要ない。このため、通信の高速化および処理負担の低減を図ることができる。
【０１０９】
なお、上述の実施の形態においては、ＵＥ１０５がインターネット１０１上のウェブサーバ１１０と通信を行う場合について説明したが、ＵＥ１０５の通信先は、インターネット１０１を介して接続された他の通信装置であってもよい。
【０１１０】
上述した実施の形態に関し、さらに以下の付記を開示する。
【０１１１】
（付記１）周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第２アドレスを宛先とするパケットを前記広域通信網から受信する受信手段と、
前記受信手段によって受信されたパケットの宛先を、前記記憶手段によって記憶された対応情報に基づいて前記第２アドレスから前記第１アドレスに変換する変換手段と、
前記移動端末が前記移動通信網に含まれる他の基地局へハンドオーバした場合に、前記変換手段によって宛先が変換されたパケットを前記移動通信網へ転送する転送手段と、
を備えることを特徴とする基地局。
【０１１２】
（付記２）前記移動端末が前記無線エリアに在圏の場合に、前記変換手段によって宛先が変換されたパケットを前記移動端末へ無線送信する無線送信手段を備えることを特徴とする付記１に記載の基地局。
【０１１３】
（付記３）前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する第２変換手段と、
前記第２変換手段によって送信元が変換されたパケットを前記広域通信網へ送信する送信手段と、
を備えることを特徴とする付記１に記載の基地局。
【０１１４】
（付記４）前記記憶手段は、前記移動端末が前記無線エリアにアタッチするときに前記移動通信網から通知される前記第１アドレスを記憶することを特徴とする付記１に記載の基地局。
【０１１５】
（付記５）前記移動端末が前記他の基地局へハンドオーバするときに前記第２アドレスを前記移動通信網へ通知する通知手段を備えることを特徴とする付記１に記載の基地局。
【０１１６】
（付記６）前記受信手段は、受信したパケットをメモリに記憶し、
前記変換手段は、前記受信手段によってメモリに記憶されたパケットを読み出し、読み出したパケットの宛先を変換し、宛先を変換したパケットをメモリに記憶する演算手段であり、
前記転送手段は、前記変換手段によってメモリに記憶されたパケットを読み出し、読み出したパケットを転送することを特徴とする付記１に記載の基地局。
【０１１７】
（付記７）周囲の無線エリアの移動端末と広域通信網との間の通信を中継する基地局において、
前記広域通信網と接続された移動通信網において前記移動端末に対して割り当てられた第１アドレスと、前記無線エリアにおいて前記移動端末に対して割り当てられた第２アドレスと、を対応付けた対応情報を記憶する記憶手段と、
前記第１アドレスを送信元とするパケットを前記移動端末から無線受信する無線受信手段と、
前記無線受信手段によって無線受信されたパケットの送信元を、前記記憶手段によって記憶された対応情報に基づいて前記第１アドレスから前記第２アドレスに変換する変換手段と、
前記変換手段によって送信元が変換されたパケットを前記広域通信網へ送信する送信手段と、
を備えることを特徴とする基地局。
【符号の説明】
【０１１８】
１００  通信システム
１０１  インターネット
１０２  ＬＡＮ
１０３  オペレータ網
１０５  ＵＥ
１１０  ウェブサーバ
１２０  フェムト基地局
１２１  アドレス変換部
１２２  ゲートウェイ機能部
１２３  ｅＮｏｄｅＢ機能部
１３１  アドレス変換装置
１３２  ゲートウェイ装置
１３３  マクロ基地局
３１０  ＬＡＮインタフェース
３２０  転送制御部
３３０，８１２  対応情報記憶部
３４０  在圏情報記憶部
４００，５００，９００，１０００  テーブル
８１０  通信装置
８１１  通信インタフェース
８１３  セッション情報記憶部
８２０  位置管理装置
【国際調査報告】
2010106653.tif 000017
2010106653.tif 000018
2010106653.tif 000019